(57)【特許請求の範囲】
【請求項１】
空気調和機により、複数の居室を空調するための建築物の空調方法であって、
目標温度を設定するステップと、
前記各居室の温度を検出するステップと、
前記空気調和機で暖められた暖空気を、前記各居室に供給する暖房ステップとを含む暖房モードを実行し、
前記暖房ステップは、前記各居室の温度と前記目標温度との温度差に基づいて、各居室への前記暖空気の供給量を個別に調節する居室供給量調節ステップを含み、
前記居室供給量調節ステップは、前記各居室の温度から前記目標温度を差し引いた値が小さい居室ほど、より多くの前記暖空気を供給するものであり、
前記暖房ステップは、前記各居室の前記値のうち、最も大きい最大値が、予め定められた第１暖房閾値よりも大きい場合に、前記居室供給量調節ステップが実行され、
前記最大値が、前記第１暖房閾値以下である場合、各居室への前記暖空気の供給量を最大にするステップが実行されることを特徴とする建築物の空調方法。
【請求項２】
空気調和機により、複数の居室を空調するための建築物の空調方法であって、
目標温度を設定するステップと、
前記各居室の温度を検出するステップと、
前記空気調和機で暖められた暖空気を、前記各居室に供給する暖房ステップとを含む暖房モードを実行し、
前記暖房ステップは、前記各居室の温度と前記目標温度との温度差に基づいて、各居室への前記暖空気の供給量を個別に調節する居室供給量調節ステップを含み、
前記居室供給量調節ステップは、前記各居室の温度から前記目標温度を差し引いた値が小さい居室ほど、より多くの前記暖空気を供給するものであり、
前記暖房ステップは、前記各居室の前記値のうち、最も小さい最小値及び最も大きい最大値に基づいて、前記空気調和機の設定温度を調節する空調温度調節ステップを含み、
前記空調温度調節ステップは、前記最小値が小さいほど、前記空気調和機の設定温度を大きくし、かつ
前記最大値が大きいほど、前記空気調和機の設定温度を小さくすることを特徴とする建築物の空調方法。
【請求項３】
空気調和機により、複数の居室を空調するための建築物の空調方法であって、
目標温度を設定するステップと、
前記各居室の温度を検出するステップと、
前記空気調和機で暖められた暖空気を、前記各居室に供給する暖房ステップとを含む暖房モードを実行し、
前記暖房ステップは、前記各居室の温度と前記目標温度との温度差に基づいて、各居室への前記暖空気の供給量を個別に調節する居室供給量調節ステップを含み、
前記居室供給量調節ステップは、前記各居室の温度から前記目標温度を差し引いた値が小さい居室ほど、より多くの前記暖空気を供給するものであり、
前記暖房ステップは、前記各居室の前記値のうち、最も小さい最小値及び最も大きい最大値に基づいて、前記空気調和機の設定風量を調節する空調風量調節ステップを含み、
前記空調風量調節ステップは、前記最小値が小さいほど、前記空気調和機の設定風量を大きくし、かつ
前記最大値が大きいほど、前記空気調和機の設定風量を小さくすることを特徴とする建築物の空調方法。
【請求項４】
空気調和機により、複数の居室を空調するための建築物の空調方法であって、
目標温度を設定するステップと、
前記各居室の温度を検出するステップと、
前記空気調和機で暖められた暖空気を、前記各居室に供給する暖房ステップとを含む暖房モードを実行し、
前記暖房ステップは、前記各居室の温度と前記目標温度との温度差に基づいて、各居室への前記暖空気の供給量を個別に調節する居室供給量調節ステップを含み、
前記居室供給量調節ステップは、前記各居室の温度から前記目標温度を差し引いた値が小さい居室ほど、より多くの前記暖空気を供給するものであり、
前記暖房ステップは、基礎と地面と床とで囲まれた床下空気と前記暖空気との混合空気を、各居室に供給するファンの風量を調節するファン風量調節ステップを含み、
前記ファン風量調節ステップは、前記各居室の前記値のうち、最も小さい最小値が小さいほど、前記ファンの風量を大きくし、かつ
最も大きい最大値が大きいほど、前記ファンの風量を小さくすることを特徴とする建築物の空調方法。
【請求項５】
前記暖房ステップは、前記各居室の前記値のうち、最も大きい最大値が、予め定められた第１暖房閾値よりも大きい場合に、前記居室供給量調節ステップが実行され、
前記最大値が、前記第１暖房閾値以下である場合、各居室への前記暖空気の供給量を最大にするステップが実行される請求項２乃至４のいずれかに記載の建築物の空調方法。
【請求項６】
前記暖房ステップは、前記各居室の前記値のうち、最も小さい最小値及び最も大きい最大値に基づいて、前記空気調和機の設定温度を調節する空調温度調節ステップを含み、
前記空調温度調節ステップは、前記最小値が小さいほど、前記空気調和機の設定温度を大きくし、かつ
前記最大値が大きいほど、前記空気調和機の設定温度を小さくする請求項３又は４記載の建築物の空調方法。
【請求項７】
前記暖房ステップは、前記各居室の前記値のうち、最も小さい最小値及び最も大きい最大値に基づいて、前記空気調和機の設定風量を調節する空調風量調節ステップを含み、
前記空調風量調節ステップは、前記最小値が小さいほど、前記空気調和機の設定風量を大きくし、かつ
前記最大値が大きいほど、前記空気調和機の設定風量を小さくする請求項４記載の建築物の空調方法。
【請求項８】
前記暖房モードは、全ての居室において、前記値が予め定められた第２暖房閾値以上である場合、前記空気調和機の運転を停止する空調停止ステップを含む請求項１乃至７のいずれかに記載の建築物の空調方法。
【請求項９】
前記暖房ステップは、前記空気調和機の効率的な運転を行わせる効率運転ステップを含み、
前記効率運転ステップは、現在の前記空気調和機の暖房能力に基づいて、前記空気調和機の設定温度を小さくする請求項１乃至７のいずれかに記載の建築物の空調方法。
【請求項１０】
空気調和機により、複数の居室を空調するための建築物の空調方法であって、
目標温度を設定するステップと、
前記各居室の温度を検出するステップと、
前記空気調和機で冷却された冷空気を、前記各居室に供給する冷房ステップとを含む冷房モードを実行し、
前記冷房ステップは、前記各居室の温度と前記目標温度との温度差に基づいて、各居室への前記冷空気の供給量を個別に調節する居室供給量調節ステップを含み、
前記居室供給量調節ステップは、前記各居室の温度から前記目標温度を差し引いた値が大きい居室ほど、より多くの前記冷空気を供給するものであり、
前記冷房ステップは、前記各居室の前記値のうち、最も小さい最小値が、予め定められた第１冷房閾値未満である場合に、前記居室供給量調節ステップが実行され、
前記最小値が、前記第１冷房閾値以上である場合、各居室への前記冷空気の供給量を最大にするステップが実行されることを特徴とする建築物の空調方法。
【請求項１１】
空気調和機により、複数の居室を空調するための建築物の空調方法であって、
目標温度を設定するステップと、
前記各居室の温度を検出するステップと、
前記空気調和機で冷却された冷空気を、前記各居室に供給する冷房ステップとを含む冷房モードを実行し、
前記冷房ステップは、前記各居室の温度と前記目標温度との温度差に基づいて、各居室への前記冷空気の供給量を個別に調節する居室供給量調節ステップを含み、
前記居室供給量調節ステップは、前記各居室の温度から前記目標温度を差し引いた値が大きい居室ほど、より多くの前記冷空気を供給するものであり、
前記冷房ステップは、前記各居室の前記値のうち、最も大きい最大値及び最も小さい最小値に基づいて、前記空気調和機の設定温度を調節する空調温度調節ステップを含み、
前記空調温度調節ステップは、前記最大値が大きいほど、前記空気調和機の設定温度を小さくし、かつ
前記最小値が小さいほど、前記空気調和機の設定温度を大きくすることを特徴とする建築物の空調方法。
【請求項１２】
空気調和機により、複数の居室を空調するための建築物の空調方法であって、
目標温度を設定するステップと、
前記各居室の温度を検出するステップと、
前記空気調和機で冷却された冷空気を、前記各居室に供給する冷房ステップとを含む冷房モードを実行し、
前記冷房ステップは、前記各居室の温度と前記目標温度との温度差に基づいて、各居室への前記冷空気の供給量を個別に調節する居室供給量調節ステップを含み、
前記居室供給量調節ステップは、前記各居室の温度から前記目標温度を差し引いた値が大きい居室ほど、より多くの前記冷空気を供給するものであり、
前記冷房ステップは、前記各居室の前記値のうち、最も大きい最大値及び最も小さい最小値に基づいて、前記空気調和機の設定風量を調節する空調風量調節ステップを含み、
前記空調風量調節ステップは、前記最大値が大きいほど、前記空気調和機の設定風量を大きくし、かつ
前記最小値が小さいほど、前記空気調和機の設定風量を小さくすることを特徴とする建築物の空調方法。
【請求項１３】
空気調和機により、複数の居室を空調するための建築物の空調方法であって、
目標温度を設定するステップと、
前記各居室の温度を検出するステップと、
前記空気調和機で冷却された冷空気を、前記各居室に供給する冷房ステップとを含む冷房モードを実行し、
前記冷房ステップは、前記各居室の温度と前記目標温度との温度差に基づいて、各居室への前記冷空気の供給量を個別に調節する居室供給量調節ステップを含み、
前記居室供給量調節ステップは、前記各居室の温度から前記目標温度を差し引いた値が大きい居室ほど、より多くの前記冷空気を供給するものであり、
前記冷房ステップは、基礎と地面と床とで囲まれた床下空気と前記冷空気との混合空気を、各居室に供給するファンの風量を調節するファン風量調節ステップを含み、
前記ファン風量調節ステップは、前記各居室の前記値のうち、最も大きい最大値が大きいほど、前記ファンの風量を大きくし、かつ
最も小さい最小値が小さいほど、前記ファンの風量を小さくすることを特徴とする建築物の空調方法。
【請求項１４】
前記冷房ステップは、前記各居室の前記値のうち、最も小さい最小値が、予め定められた第１冷房閾値未満である場合に、前記居室供給量調節ステップが実行され、
前記最小値が、前記第１冷房閾値以上である場合、各居室への前記冷空気の供給量を最大にするステップが実行される請求項１１乃至１３のいずれかに記載の建築物の空調方法。
【請求項１５】
前記冷房ステップは、前記各居室の前記値のうち、最も大きい最大値及び最も小さい最小値に基づいて、前記空気調和機の設定温度を調節する空調温度調節ステップを含み、
前記空調温度調節ステップは、前記最大値が大きいほど、前記空気調和機の設定温度を小さくし、かつ
前記最小値が小さいほど、前記空気調和機の設定温度を大きくする請求項１２又は１３に記載の建築物の空調方法。
【請求項１６】
前記冷房ステップは、前記各居室の前記値のうち、最も大きい最大値及び最も小さい最小値に基づいて、前記空気調和機の設定風量を調節する空調風量調節ステップを含み、
前記空調風量調節ステップは、前記最大値が大きいほど、前記空気調和機の設定風量を大きくし、かつ
前記最小値が小さいほど、前記空気調和機の設定風量を小さくする請求項１３記載の建築物の空調方法。
【請求項１７】
前記冷房モードは、全ての居室において、前記値が予め定められた第２冷房閾値以下である場合、前記空気調和機の運転を停止する空調停止ステップを含む請求項１０乃至１６のいずれかに記載の建築物の空調方法。
【請求項１８】
前記冷房ステップは、前記空気調和機の効率的な運転を行わせる効率運転ステップを含み、
前記効率運転ステップは、現在の前記空気調和機の冷房能力に基づいて、前記空気調和機の設定温度を大きくする請求項９乃至１６のいずれかに記載の建築物の空調方法。
【請求項１９】
請求項１に記載された前記暖房モードと、請求項１０に記載された前記冷房モードとを含むことを特徴とする建築物の空調方法。
【発明の詳細な説明】
【技術分野】
【０００１】
本発明は、各居室を空調しうる建築物の空調方法に関する。
【背景技術】
【０００２】
従来、床下空間に設置された空気調和機により、複数の居室を空調するための空調方法が提案されている（例えば、下記特許文献１参照）。空気調和機によって空調された空気は、ダクトを介して各居室へ供給される。これにより、複数の居室が同時に空調されうる。
【先行技術文献】
【特許文献】
【０００３】
【特許文献１】特許第５５３０２８２号公報
【発明の概要】
【発明が解決しようとする課題】
【０００４】
例えば、日光の影響や、建物の構造上の相違等により、建築物の各居室の温度がそれぞれ異なる。しかしながら、各居室への空気の供給量は、各居室の温度に基づいて、個別に調節されていなかった。このため、各居室を効率よく空調することが難しいという問題があった。
【０００５】
本発明は、以上のような実状に鑑み案出されたもので、各居室を効率よく空調しうる建築物の空調方法を提供することを主たる目的としている。
【課題を解決するための手段】
【０００６】
本発明は、空気調和機により、複数の居室を空調するための建築物の空調方法であって、目標温度を設定するステップと、前記各居室の温度を検出するステップと、前記空気調和機で暖められた暖空気を、前記各居室に供給する暖房ステップとを含む暖房モードを実行し、前記暖房ステップは、前記各居室の温度と前記目標温度との温度差に基づいて、各居室への前記暖空気の供給量を個別に調節する居室供給量調節ステップを含み、前記居室供給量調節ステップは、前記各居室の温度から前記目標温度を差し引いた値が小さい居室ほど、より多くの前記暖空気を供給するものであり、前記暖房ステップは、前記各居室の前記値のうち、最も大きい最大値が、予め定められた第１暖房閾値よりも大きい場合に、前記居室供給量調節ステップが実行され、前記最大値が、前記第１暖房閾値以下である場合、各居室への前記暖空気の供給量を最大にするステップが実行されることを特徴とする。
また、本発明は、空気調和機により、複数の居室を空調するための建築物の空調方法であって、目標温度を設定するステップと、前記各居室の温度を検出するステップと、前記空気調和機で暖められた暖空気を、前記各居室に供給する暖房ステップとを含む暖房モードを実行し、前記暖房ステップは、前記各居室の温度と前記目標温度との温度差に基づいて、各居室への前記暖空気の供給量を個別に調節する居室供給量調節ステップを含み、前記居室供給量調節ステップは、前記各居室の温度から前記目標温度を差し引いた値が小さい居室ほど、より多くの前記暖空気を供給するものであり、前記暖房ステップは、前記各居室の前記値のうち、最も小さい最小値及び最も大きい最大値に基づいて、前記空気調和機の設定温度を調節する空調温度調節ステップを含み、前記空調温度調節ステップは、前記最小値が小さいほど、前記空気調和機の設定温度を大きくし、かつ前記最大値が大きいほど、前記空気調和機の設定温度を小さくすることを特徴とする。
また、本発明は、空気調和機により、複数の居室を空調するための建築物の空調方法であって、目標温度を設定するステップと、前記各居室の温度を検出するステップと、前記空気調和機で暖められた暖空気を、前記各居室に供給する暖房ステップとを含む暖房モードを実行し、前記暖房ステップは、前記各居室の温度と前記目標温度との温度差に基づいて、各居室への前記暖空気の供給量を個別に調節する居室供給量調節ステップを含み、前記居室供給量調節ステップは、前記各居室の温度から前記目標温度を差し引いた値が小さい居室ほど、より多くの前記暖空気を供給するものであり、前記暖房ステップは、前記各居室の前記値のうち、最も小さい最小値及び最も大きい最大値に基づいて、前記空気調和機の設定風量を調節する空調風量調節ステップを含み、前記空調風量調節ステップは、前記最小値が小さいほど、前記空気調和機の設定風量を大きくし、かつ前記最大値が大きいほど、前記空気調和機の設定風量を小さくすることを特徴とする。
また、本発明は、空気調和機により、複数の居室を空調するための建築物の空調方法であって、目標温度を設定するステップと、前記各居室の温度を検出するステップと、前記空気調和機で暖められた暖空気を、前記各居室に供給する暖房ステップとを含む暖房モードを実行し、前記暖房ステップは、前記各居室の温度と前記目標温度との温度差に基づいて、各居室への前記暖空気の供給量を個別に調節する居室供給量調節ステップを含み、前記居室供給量調節ステップは、前記各居室の温度から前記目標温度を差し引いた値が小さい居室ほど、より多くの前記暖空気を供給するものであり、前記暖房ステップは、基礎と地面と床とで囲まれた床下空気と前記暖空気との混合空気を、各居室に供給するファンの風量を調節するファン風量調節ステップを含み、前記ファン風量調節ステップは、前記各居室の前記値のうち、最も小さい最小値が小さいほど、前記ファンの風量を大きくし、かつ最も大きい最大値が大きいほど、前記ファンの風量を小さくすることを特徴とする。
【０００８】
本発明に係る前記建築物の空調方法において、前記暖房ステップは、前記各居室の前記値のうち、最も大きい最大値が、予め定められた第１暖房閾値よりも大きい場合に、前記居室供給量調節ステップが実行され、前記最大値が、前記第１暖房閾値以下である場合、各居室への前記暖空気の供給量を最大にするステップが実行されるのが望ましい。
【０００９】
本発明に係る前記建築物の空調方法において、前記暖房ステップは、前記各居室の前記値のうち、最も小さい最小値及び最も大きい最大値に基づいて、前記空気調和機の設定温度を調節する空調温度調節ステップを含み、前記空調温度調節ステップは、前記最小値が小さいほど、前記空気調和機の設定温度を大きくし、かつ前記最大値が大きいほど、前記空気調和機の設定温度を小さくするのが望ましい。
【００１０】
本発明に係る前記建築物の空調方法において、前記暖房ステップは、前記各居室の前記値のうち、最も小さい最小値及び最も大きい最大値に基づいて、前記空気調和機の設定風量を調節する空調風量調節ステップを含み、前記空調風量調節ステップは、前記最小値が小さいほど、前記空気調和機の設定風量を大きくし、かつ前記最大値が大きいほど、前記空気調和機の設定風量を小さくするのが望ましい。
【００１２】
本発明に係る前記建築物の空調方法において、前記暖房モードは、全ての居室において、前記値が予め定められた第２暖房閾値以上である場合、前記空気調和機の運転を停止する空調停止ステップを含むのが望ましい。
【００１３】
本発明に係る前記建築物の空調方法において、前記暖房ステップは、前記空気調和機の効率的な運転を行わせる効率運転ステップを含み、前記効率運転ステップは、現在の前記空気調和機の暖房能力に基づいて、前記空気調和機の設定温度を小さくするのが望ましい。
【００１４】
本発明は、空気調和機により、複数の居室を空調するための建築物の空調方法であって、目標温度を設定するステップと、前記各居室の温度を検出するステップと、前記空気調和機で冷却された冷空気を、前記各居室に供給する冷房ステップとを含む冷房モードを実行し、前記冷房ステップは、前記各居室の温度と前記目標温度との温度差に基づいて、各居室への前記冷空気の供給量を個別に調節する居室供給量調節ステップを含み、前記居室供給量調節ステップは、前記各居室の温度から前記目標温度を差し引いた値が大きい居室ほど、より多くの前記冷空気を供給するものであり、前記冷房ステップは、前記各居室の前記値のうち、最も小さい最小値が、予め定められた第１冷房閾値未満である場合に、前記居室供給量調節ステップが実行され、前記最小値が、前記第１冷房閾値以上である場合、各居室への前記冷空気の供給量を最大にするステップが実行されることを特徴とする。
また、本発明は、空気調和機により、複数の居室を空調するための建築物の空調方法であって、目標温度を設定するステップと、前記各居室の温度を検出するステップと、前記空気調和機で冷却された冷空気を、前記各居室に供給する冷房ステップとを含む冷房モードを実行し、前記冷房ステップは、前記各居室の温度と前記目標温度との温度差に基づいて、各居室への前記冷空気の供給量を個別に調節する居室供給量調節ステップを含み、
前記居室供給量調節ステップは、前記各居室の温度から前記目標温度を差し引いた値が大きい居室ほど、より多くの前記冷空気を供給するものであり、前記冷房ステップは、前記各居室の前記値のうち、最も大きい最大値及び最も小さい最小値に基づいて、前記空気調和機の設定温度を調節する空調温度調節ステップを含み、前記空調温度調節ステップは、前記最大値が大きいほど、前記空気調和機の設定温度を小さくし、かつ前記最小値が小さいほど、前記空気調和機の設定温度を大きくすることを特徴とする。
また、本発明は、空気調和機により、複数の居室を空調するための建築物の空調方法であって、目標温度を設定するステップと、前記各居室の温度を検出するステップと、前記空気調和機で冷却された冷空気を、前記各居室に供給する冷房ステップとを含む冷房モードを実行し、前記冷房ステップは、前記各居室の温度と前記目標温度との温度差に基づいて、各居室への前記冷空気の供給量を個別に調節する居室供給量調節ステップを含み、前記居室供給量調節ステップは、前記各居室の温度から前記目標温度を差し引いた値が大きい居室ほど、より多くの前記冷空気を供給するものであり、前記冷房ステップは、前記各居室の前記値のうち、最も大きい最大値及び最も小さい最小値に基づいて、前記空気調和機の設定風量を調節する空調風量調節ステップを含み、前記空調風量調節ステップは、前記最大値が大きいほど、前記空気調和機の設定風量を大きくし、かつ前記最小値が小さいほど、前記空気調和機の設定風量を小さくすることを特徴とする。
また、本発明は、空気調和機により、複数の居室を空調するための建築物の空調方法であって、目標温度を設定するステップと、前記各居室の温度を検出するステップと、前記空気調和機で冷却された冷空気を、前記各居室に供給する冷房ステップとを含む冷房モードを実行し、前記冷房ステップは、前記各居室の温度と前記目標温度との温度差に基づいて、各居室への前記冷空気の供給量を個別に調節する居室供給量調節ステップを含み、前記居室供給量調節ステップは、前記各居室の温度から前記目標温度を差し引いた値が大きい居室ほど、より多くの前記冷空気を供給するものであり、前記冷房ステップは、基礎と地面と床とで囲まれた床下空気と前記冷空気との混合空気を、各居室に供給するファンの風量を調節するファン風量調節ステップを含み、前記ファン風量調節ステップは、前記各居室の前記値のうち、最も大きい最大値が大きいほど、前記ファンの風量を大きくし、かつ最も小さい最小値が小さいほど、前記ファンの風量を小さくすることを特徴とする。
【００１６】
本発明に係る前記建築物の空調方法において、前記冷房ステップは、前記各居室の前記値のうち、最も小さい最小値が、予め定められた第１冷房閾値未満である場合に、前記居室供給量調節ステップが実行され、前記最小値が、前記第１冷房閾値以上である場合、各居室への前記冷空気の供給量を最大にするステップが実行されるのが望ましい。
【００１７】
本発明に係る前記建築物の空調方法において、前記冷房ステップは、前記各居室の前記値のうち、最も大きい最大値及び最も小さい最小値に基づいて、前記空気調和機の設定温度を調節する空調温度調節ステップを含み、前記空調温度調節ステップは、前記最大値が大きいほど、前記空気調和機の設定温度を小さくし、かつ前記最小値が小さいほど、前記空気調和機の設定温度を大きくするのが望ましい。
【００１８】
本発明に係る前記建築物の空調方法において、前記冷房ステップは、前記各居室の前記値のうち、最も大きい最大値及び最も小さい最小値に基づいて、前記空気調和機の設定風量を調節する空調風量調節ステップを含み、前記空調風量調節ステップは、前記最大値が大きいほど、前記空気調和機の設定風量を大きくし、かつ前記最小値が小さいほど、前記空気調和機の設定風量を小さくするのが望ましい。
【００２０】
本発明に係る前記建築物の空調方法において、前記冷房モードは、全ての居室において、前記値が予め定められた第２冷房閾値以下である場合、前記空気調和機の運転を停止する空調停止ステップを含むのが望ましい。
【００２１】
本発明に係る前記建築物の空調方法において、前記冷房ステップは、前記空気調和機の効率的な運転を行わせる効率運転ステップを含み、前記効率運転ステップは、現在の前記空気調和機の冷房能力に基づいて、前記空気調和機の設定温度を大きくするのが望ましい。
【００２２】
本発明に係る前記建築物の空調方法において、請求項１に記載された前記暖房モードと、請求項１０に記載された前記冷房モードとを含むのが望ましい。
【発明の効果】
【００２３】
請求項１記載の建築物の空調方法は、空気調和機で暖められた暖空気を、各居室に供給する暖房ステップを含む暖房モードが実行される。暖房ステップは、各居室の温度と前記目標温度との温度差に基づいて、各居室への前記暖空気の供給量を個別に調節する居室供給量調節ステップを含んでいる。このような居室供給量調節ステップにより、例えば、各居室の温度から目標温度を差し引いた値が小さい居室ほど、より多くの暖空気が供給されうるため、各居室が効率よく暖房されうる。
【００２４】
請求項９記載の建築物の空調方法は、空気調和機で冷却された冷空気を、各居室に供給する冷房ステップを含む冷房モードが実行される。冷房ステップは、各居室の温度と目標温度との温度差に基づいて、各居室への冷空気の供給量を個別に調節する居室供給量調節ステップを含んでいる。このような居室供給量調節ステップにより、例えば、各居室の温度から目標温度を差し引いた値が大きい居室ほど、より多くの冷空気が供給されうるため、各居室が効率よく冷房されうる。
【００２５】
請求項１７記載の建築物の空調方法は、請求項１に記載された暖房モードと、請求項９に記載された冷房モードとを含んでいる。これにより、各居室の温度と目標温度との温度差に基づいて、暖空気又は冷空気の各居室への供給量が個別に調節されうるため、各居室が効率よく冷暖房されうる。
【図面の簡単な説明】
【００２６】
【図１】本発明の一実施形態の換気空調システムを説明するための建築物の断面図である。
【図２】本実施形態のチャンバーユニットの拡大断面図である。
【図３】本実施形態の制御手段の概念図である。
【図４】本実施形態の建築物の空調方法の処理手順の一例を示すフローチャートである。
【図５】本実施形態の冬季空調ステップの処理手順の一例を示すフローチャートである。
【図６】暖房モードの処理手順の一例を示すフローチャートである。
【図７】空調停止ステップの処理手順の一例を示すフローチャートである。
【図８】暖房ステップの処理手順の一例を示すフローチャートである。
【図９】本実施形態の積極運転ステップの処理手順の一例を示すフローチャートである。
【図１０】第１居室供給量調節ステップの処理手順の一例を示すフローチャートである。
【図１１】第２居室供給量調節ステップの処理手順の一例を示すフローチャートである。
【図１２】本実施形態の効率運転ステップの処理手順の一例を示すフローチャートである。
【図１３】（ａ）は、暖房能力とＣＯＰ（Coefficient of Performance ）との関係を示すグラフである。（ｂ）は、冷房能力とＣＯＰとの関係を示すグラフである。
【図１４】パッシブ暖房モードの処理手順の一例を示すフローチャートである。
【図１５】第１供給ステップの処理手順の一例を示すフローチャートである。
【図１６】本実施形態の夏季空調ステップの処理手順の一例を示すフローチャートである。
【図１７】冷房モードの処理手順の一例を示すフローチャートである。
【図１８】冷房ステップの処理手順の一例を示すフローチャートである。
【図１９】本実施形態の積極運転ステップの処理手順の一例を示すフローチャートである。
【図２０】第１居室供給量調節ステップの処理手順の一例を示すフローチャートである。
【図２１】第２居室供給量調節ステップの処理手順の一例を示すフローチャートである。
【図２２】本実施形態の効率運転ステップの処理手順の一例を示すフローチャートである。
【図２３】パッシブ冷房モードの処理手順の一例を示すフローチャートである。
【図２４】第２供給ステップの処理手順の一例を示すフローチャートである。
【発明を実施するための形態】
【００２７】
以下、本発明の実施の一形態が図面に基づき説明される。
図１には、本発明の一実施形態の建築物の空調方法（以下、単に「空調方法」ということがある）が実施される建築物Ｂの断面図が概念的に示されている。図１に示されるように、本実施形態では、建築物Ｂとして、住宅Ｂｈが示されている。なお、空調効果を高めるために、住宅Ｂｈは、優れた断熱性能、遮光性能及び気密性能を具えた工業化住宅であるのが望ましい。
【００２８】
住宅Ｂｈは、床下空間３と、床上空間４とを具えている。床下空間３は、基礎５と地面６と床７とで囲まれた非居住空間である。床上空間４は、床下空間３の上方に設けられた空間である。本実施形態の床上空間４は、複数の居室４Ａ乃至４Ｃと、洗面室、トイレ等の非居室４Ｄとに区分されている。
【００２９】
本実施形態の空調方法は、換気空調システム２が用いられる。換気空調システム２は、外気を床下空間３に導入するための基礎給気口８と、床下空間３に配されたチャンバーボックス９と、チャンバーボックス９内の空気を各居室４Ａ乃至４Ｃに供給しうる換気手段１０とを含んでいる。なお、チャンバーボックス９内の空気は、非居室４Ｄに直接供給されてもよい。さらに、本実施形態の換気空調システム２では、集熱装置２２を含むものが示されているが、この装置は、任意の要素である。
【００３０】
基礎給気口８は、基礎５の立ち上がり部に設けられた一つの開口である。この基礎給気口８を介して、床下空間３に外気が取り込まれる。本実施形態では、外気を積極的に導入するために、例えば、基礎給気口８の近傍に、基礎給気ファン１１が設けられている。基礎５は、発泡樹脂等の断熱材により、外気から断熱されていることが望ましい（図示省略）。
【００３１】
床下空間３に供給された外気は、床下空間３の地面６を介して、地冷熱と熱交換される。これにより、床下空間３に蓄えられた空気（以下、単に「床下空気」ということがある）１７は、夏期には外気よりも低く、冬期には外気よりも高い温度を持ち得る。床下空間３の地面６は、例えば、土間コンクリート等で仕上げられている。
【００３２】
図２には、チャンバーボックス９の一例が、拡大して示されている。なお、図１のチャンバーボックス９は、概念的に示されたものである。このため、図１のチャンバーボックス９と、図２に示されているチャンバーボックス９とは必ずしも一致していない。図２に示されるように、チャンバーボックス９は、略箱状であり、第１空間９Ａと、第２空間９Ｂと、これらの間に設けられた開閉部９Ｃとを含んでいる。チャンバーボックス９は、各居室４Ａ乃至４Ｃ（図１に示す）に供給するための空気を蓄える空間として用いられる。
【００３３】
第１空間９Ａは、チャンバーボックス９の水平方向の一端側に設けられている。第１空間９Ａを区画するチャンバーボックス９の壁面は、断熱材１２が配されるのが望ましい。
【００３４】
第１空間９Ａには、床下空気１７を取り込むための第１導入口１３が設けられている。従って、第１空間９Ａは、第１導入口１３から床下空気（即ち、地冷熱と熱交換された外気）１７が導入されうる。本実施形態の第１導入口１３は、第１空間９Ａの上面側に設けられているが、その位置は任意に定められうる。また、本実施形態の第１導入口１３には、電気制御により開閉可能な開閉部３０が設けられている。
【００３５】
第１空間９Ａには、集熱装置２２で温められた外気を取り込むための第２導入口１９が設けられている。従って、第１空間９Ａは、集熱装置２２（図１に示す）で温められた外気が取り込まれうる。また、第２導入口１９には、開閉可能な開閉部２１が設けられている。
【００３６】
第１空間９Ａには、その中の空気を排出するための排気口１４が設けられている。排気口１４は、例えば、第１空間９Ａの側面に設けられている。排気口１４には、換気手段１０のダクト１０Ａの一端１０Ａｉが接続されている。これらについては、後で詳述する。
【００３７】
第２空間９Ｂは、チャンバーボックス９の水平方向の他端側に設けられている。第２空間９Ｂを区画するチャンバーボックス９の壁面にも、断熱材１２が配されているのが望ましい。
【００３８】
第２空間９Ｂには、空気調和機（エアコン）１６が収納されている。本実施形態の空気調和機１６は、一般的な家庭用のセパレート型エアコンである。第２空間９Ｂには、空気調和機１６の室内機が配置されている。空気調和機１６の室外機（図示省略）は、建築物Ｂの外部に設置されている。
【００３９】
空気調和機１６は、空気を吸い込む吸気部１６ａと、内部で冷媒と熱交換された空気を排気する排気部１６ｂとを有している。従って、空気調和機１６の運転により、第２空間９Ｂには、空調された空気が導入される。本実施形態の第２空間９Ｂには、空気調和機１６の吸気部１６ａに、床上空間４の空気を供給するための床上空気導入口１８が設けられている。
【００４０】
空気調和機１６は、その設定温度が設定されうる。また、空気調和機１６は、その設定風量が、複数段階で設定されうる。本実施形態の設定風量は、例えば、弱（例えば、４２５m3／ｈ）、中（例えば、６２５m3／ｈ）、及び、強（例えば、８２５m3／ｈ）を含んでいる。なお、このような設定風量に限定されるわけではない。
【００４１】
開閉部９Ｃは、第１空間９Ａと第２空間９Ｂとの間で、開閉可能に設けられている。このような開閉部９Ｃにより、第１空間９Ａと第２空間９Ｂとは、相互に連通するか又は遮断される。
【００４２】
開閉部９Ｃが遮断位置に切換えられている場合、チャンバーボックス９の第１空間９Ａには、「地面６と熱交換した床下空気１７」のみが供給される。一方、開閉部９Ｃが連通位置に切換えられ、かつ、空気調和機１６が運転されている場合、チャンバーボックス９の第１空間９Ａには、地面６と熱交換した床下空気１７と、空気調和機１６によって空調された空気が供給され、第１空間９Ａ内で混合空気が作成される。
【００４３】
図１に示されるように、換気手段１０は、ダクト１０Ａと、ファン１０Ｂと、空気浄化装置１０Ｃとを含んでいる。本実施形態のファン１０Ｂ及び空気浄化装置１０Ｃは、いずれも、床下空間３に配置されている。
【００４４】
ダクト１０Ａの一端１０Ａｉは、チャンバーボックス９の排気口１４に接続されている。ダクト１０Ａの他端１０Ａｏは、各居室４Ａ、４Ｂ及び４Ｃの天井部分に位置している。ダクト１０Ａの各他端１０Ａｏは、それぞれ、床下空気１７又は混合空気の供給量を調節可能なダンパー２０（２０ａ〜２０ｃ）を介して、各居室４Ａ、４Ｂ及び４Ｃに連通している。なお、本実施形態のダクト１０Ａは、１階用と２階用との２系統が設けられているが、これらを集約して一つの系統とされても良い。
【００４５】
ダンパー２０の開度（開口面積）が大きいほど、床下空気１７又は混合空気の供給量が大きくなる。ダンパー２０の開度は、複数段階で調整されうる。本実施形態のダンパー２０の開度は、例えば、第１開度〜第５開度の５段階で調整されうる。なお、各開度は、第１開度から第５開度に向かって漸増している。このようなダンパー２０により、居室４Ａ、４Ｂ及び４Ｃ毎に、床下空気１７又は混合空気の供給量が柔軟に調節されうる。
【００４６】
ファン１０Ｂは、ダクト１０Ａの一端１０Ａｉから他端１０Ａｏに向かう強制的な空気の流れを生成するファンによって構成されている。従って、ファン１０Ｂを運転することにより、チャンバーボックス９の第１空間９Ａ内の空気は、排気口１４から、ダクト１０Ａの他端１０Ａｏへと送給される。
【００４７】
ファン１０Ｂの風量は、複数段階で設定されうる。本実施形態のファン１０Ｂの風量は、例えば、第１風量〜第４風量が設定されている。第１風量は、建築物Ｂに必要な換気回数に基づいて、例えば、１７５m3／ｈに設定される。第２風量は、例えば、第１風量よりも大きい６００m3／ｈに設定されている。第３風量は、例えば、第２風量よりも大きい８００m3／ｈに設定されている。第４風量は、例えば、第３風量よりも大きい１０００m3／ｈに設定されている。なお、ファン１０Ｂの風量は、これらの第１風量〜第４風量に限定されるわけではない。
【００４８】
空気浄化装置１０Ｃは、例えば、ダクト１０Ａの一端１０Ａｉと他端１０Ａｏとの間に設けられている。本実施形態の空気浄化装置１０Ｃは、ファン１０Ｂの上流側に設けられている。空気浄化装置１０Ｃとしては、ダクト１０Ａ内の空気から花粉、微粒子状物質、塵埃等を除去するものであれば、種々の形式のものが採用されうる。
【００４９】
本実施形態の換気空調システム２は、床下温度検知手段２３、外気温度検知手段２４、居室温度検知手段２５、吸気温度検知手段２７、排気温度検知手段２８、及び、制御手段２６をさらに含んでいる。図３は、本実施形態の制御手段２６の概念図である。
【００５０】
図１に示されるように、床下温度検知手段２３は、床下空間３内に配置された温度センサーによって構成されている。外気温度検知手段２４は、屋外に配置された温度センサーによって構成されている。居室温度検知手段２５（２５ａ〜２５ｃ）は、各居室４Ａ、４Ｂ及び４Ｃ内にそれぞれ配置された温度センサーによって構成されている。図２に示されるように、吸気温度検知手段２７は、空気調和機１６の吸気部１６ａ付近に配置された温度センサーによって構成されている。排気温度検知手段２８は、空気調和機１６の排気部１６ｂ付近に配置された温度センサーによって構成されている。
【００５１】
図３に示されるように、床下温度検知手段２３、外気温度検知手段２４、居室温度検知手段２５（２５ａ〜２５ｃ）、吸気温度検知手段２７、及び、排気温度検知手段２８は、制御手段２６に接続されている。これにより、床下空気１７の温度、各居室４Ａ、４Ｂ及び４Ｃの温度、外気の温度、空気調和機１６の吸気温度、及び、空気調和機１６の排気温度が、制御手段２６に伝達されうる。
【００５２】
本実施形態の制御手段２６は、図１に示されるように、例えば、間仕切り壁等に設置されている。図３に示されるように、制御手段２６は、ＣＰＵ（中央演算装置）からなる演算部３３と、制御手順が予め記憶されている記憶部３４と、記憶部３４から制御手順を読み込む作業用メモリ３５とを含んで構成されている。
【００５３】
演算部３３には、チャンバーボックス９の開閉部９Ｃ、第１導入口１３の開閉部３０、第２導入口１９の開閉部２１、及び、各居室４Ａ、４Ｂ及び４Ｃのダンパー２０（２０ａ〜２０ｃ）が接続されている。これにより、チャンバーボックス９の開閉部９Ｃ、第１導入口１３の開閉部３０、第２導入口１９の開閉部２１、及び、各居室４Ａ、４Ｂ及び４Ｃのダンパー２０（２０ａ〜２０ｃ）は、演算部３３からの信号が伝達されることによって、それぞれ独立して開閉されうる。さらに、演算部３３は、換気手段１０のファン１０Ｂ、及び、空気調和機１６が接続されている。これにより、ファン１０Ｂ、及び、空気調和機１６は、演算部３３からの信号が伝達されることによって、それぞれ運転が制御されうる。
【００５４】
次に、本実施形態の換気空調システム２を用いた空調方法について説明する。本実施形態の空調方法では、例えば、冬季（１０月〜３月）と、夏季（４月〜９月）とで、異なる処理手順が実施される。なお、冬季及び夏季は、例示した期間に限定されるわけではない。図４は、本実施形態の空調方法の処理手順の一例を示すフローチャートである。
【００５５】
本実施形態の空調方法では、先ず、現在が冬季又は夏季のいずれに属するかが判断される（ステップＳ１）。これらの判断は、制御手段２６（図３に示す）によって行われる。現在が冬季であると判断された場合、次の冬季空調ステップＳ２が実施される。他方、現在が夏季であると判断された場合、次の夏季空調ステップＳ３が実施される。
【００５６】
冬季空調ステップＳ２では、空気調和機１６（図１に示す）による暖房が不要な中間期間、空気調和機１６による暖房が必要な暖房期間、及び、暖房期間と中間期間との間の第１期間（以下、単に「冬季パッシブ期間」ということがある。）において、異なる処理手順が実施される。中間期間は、例えば、４月２８日〜６月１６日と、９月２３日〜１０月２５日である。暖房期間は、例えば、１２月９日〜２月２０日である。第１期間（冬季パッシブ期間）は、例えば、２月２１日〜４月２７日と、１０月２６日〜１２月８日である。なお、中間期間、暖房期間、及び、第１期間（冬季パッシブ期間）は、例示した期間に限定されるわけではなく、例えば、建築物Ｂ（図１に示す）が建てられた地域の気候に応じて、適宜設定されうる。図５は、本実施形態の冬季空調ステップＳ２の処理手順の一例を示すフローチャートである。
【００５７】
冬季空調ステップＳ２では、先ず、現在が中間期間、暖房期間、又は、第１期間（冬季パッシブ期間）のいずれに属するかが判断される（ステップＳ２１）。これらの判断は、制御手段２６（図３に示す）によって行われる。現在が、中間期間に含まれると判断された場合、次の換気モードＳ２２が実施される。また、現在が、暖房期間に含まれると判断された場合、次の暖房モードＳ２３が実施される。さらに、現在が、第１期間（冬季パッシブ期）に含まれると判断された場合、次の、パッシブ暖房モードＳ２４が実施される。
【００５８】
換気モードＳ２２では、図１及び図２に示されるように、先ず、チャンバーボックス９の開閉部９Ｃによって、第１空間９Ａと第２空間９Ｂとが遮断される。さらに、換気手段１０のファン１０Ｂが運転される。これにより、チャンバーボックス９の第１空間９Ａには、第１導入口１３から床下空気１７（外気）が導入される。さらに、第１空間９Ａの床下空気１７は、排気口１４からダクト１０Ａ、空気浄化装置１０Ｃを経由して清浄化された後、ダンパー２０（２０ａ〜２０ｃ）を介して、各居室４Ａ、４Ｂ及び４Ｃに供給される。また、居室４Ａ、４Ｂ及び４Ｃ内の空気は、各居室４Ａ〜４Ｃ又は非居室４Ｄに設けられた排気用のファン３８等によって、屋外へと排出される。これにより、各居室４Ａ、４Ｂ及び４Ｃは、清浄化された外気によって換気される。これらの換気モードＳ２２の一連の処理は、制御手段２６によって行われる。また、換気手段１０のファン１０Ｂの風量は、建築物Ｂに必要な換気回数に基づいて設定された第１風量（例えば、１７５m3／ｈ）が設定されている。各居室４Ａ、４Ｂ又は４Ｃのダンパー２０は、第１開度〜第５開度から適宜選択される。
【００５９】
暖房モードＳ２３では、空気調和機１６（図１に示す）で暖められた暖空気が、各居室４Ａ、４Ｂ及び４Ｃ（図１に示す）に供給される。図６は、暖房モードＳ２３の処理手順の一例を示すフローチャートである。暖房モードＳ２３の一連の処理は、制御手段２６（図３に示す）によって行われる。
【００６０】
暖房モードＳ２３では、先ず、目標温度が設定される（ステップＳ２３０）。目標温度は、空気調和機１６による暖房により、各居室４Ａ、４Ｂ及び４Ｃで維持したい温度である。目標温度は、適宜設定されうる。本実施形態の目標温度は、ヒートショックを未然に防ぐ観点より、例えば、１８℃〜２２℃（本実施形態では、２０℃）に設定されるのが望ましい。本実施形態の目標温度は、居室４Ａ、４Ｂ及び４Ｃ毎にそれぞれ設定されてもよいし、同一でもよい。目標温度は、記憶部３４に記憶されており、作業用メモリ３５に読み込まれる。
【００６１】
次に、暖房モードＳ２３では、図１及び図３に示されるように、各居室４Ａ、４Ｂ及び４Ｃの温度が検知される（ステップＳ２３１）。各居室４Ａ、４Ｂ及び４Ｃの温度は、居室温度検知手段２５（２５ａ〜２５ｃ）によってそれぞれ検知される。各居室４Ａ、４Ｂ及び４Ｃの温度は、制御手段２６に伝達される。
【００６２】
次に、暖房モードＳ２３では、各居室４Ａ、４Ｂ及び４Ｃの温度と予め定められた目標温度との差Ｖ１が求められる（ステップＳ２３２）。差Ｖ１は、居室４Ａ、４Ｂ及び４Ｃ毎に求められる。本実施形態の差Ｖ１は、各居室４Ａ、４Ｂ及び４Ｃの温度から目標温度を差し引いた値Ｗ１として求められる。この値Ｗ１（差Ｖ１）が大きいほど、各居室４Ａ、４Ｂ及び４Ｃの温度が大きいことを示している。
【００６３】
次に、暖房モードＳ２３では、全ての居室４Ａ、４Ｂ及び４Ｃの前記値Ｗ１が、予め定められた第２暖房閾値以上であるか否かが判断される（ステップＳ２３３）。このステップＳ２３３では、空気調和機１６による空調（暖房）が、必要か否かが判断される。従って、第２暖房閾値は、０℃以上に設定されるのが望ましい。本実施形態の第２暖房閾値は、例えば、＋１．５℃に設定されている。
【００６４】
全ての居室４Ａ、４Ｂ及び４Ｃの前記値Ｗ１が、予め定められた第２暖房閾値（例えば、＋１．５℃）以上であると判断された場合（ステップＳ２３３で、「Ｙ」）、全ての居室４Ａ、４Ｂ及び４Ｃの温度は、目標温度（例えば、２０℃）よりも大きいため、十分に暖められており、空気調和機１６による空調（暖房）が不要であると判断されうる。このような場合、次の空調停止ステップＳ２３４が実行される。他方、全ての居室４Ａ、４Ｂ及び４Ｃの前記値Ｗ１が、予め定められた第２暖房閾値（例えば、＋１．５℃）未満であると判断された場合（ステップＳ２３３で、「Ｎ」）、全ての居室４Ａ、４Ｂ及び４Ｃが十分に暖められていないため、空気調和機１６による空調（暖房）が必要であると判断されうる。このような場合、空気調和機１６で暖められた暖空気を、各居室４Ａ、４Ｂ及び４Ｃに供給する暖房ステップＳ２３５が実行される。
【００６５】
図７は、空調停止ステップＳ２３４の処理手順の一例を示すフローチャートである。本実施形態の空調停止ステップＳ２３４では、先ず、空気調和機１６（図１に示す）の運転が停止され（ステップＳ６１１）、換気手段１０のファン１０Ｂ（図１に示す）の風量が設定される（ステップＳ６１２）。本実施形態のファン１０Ｂの設定風量は、建築物Ｂに必要な換気回数に基づいて、第１風量（例えば、１７５m3／ｈ）に設定される。なお、ステップＳ６１２では、図１及び図２に示されるように、チャンバーボックス９の開閉部９Ｃによって、第１空間９Ａと第２空間９Ｂとが遮断される。これにより、換気モードＳ２２と同様に、各居室４Ａ、４Ｂ及び４Ｃは、清浄化された外気（床下空気１７）によって換気される。これらのステップＳ６１１及びステップＳ６１２の実行終了により、空調停止ステップＳ２３４の一連の処理が終了する。
【００６６】
図８は、暖房ステップＳ２３５の処理手順の一例を示すフローチャートである。暖房ステップＳ２３５では、先ず、空気調和機１６（図１に示す）による暖房が開始される（ステップＳ６２０）。本実施形態のステップＳ６２０では、先ず、図１に示されるように、チャンバーボックス９の開閉部９Ｃによって、第１空間９Ａと第２空間９Ｂとが連通される。また、空気調和機１６が暖房運転される。さらに、換気手段１０のファン１０Ｂが運転される。これにより、第１空間９Ａにおいて、床下空間３の空気と、空気調和機１６の暖房運転で空調された空気とが混合される。そして、この混合空気（暖空気）が、換気手段１０によって各居室４Ａ、４Ｂ及び４Ｃに供給される。これにより、換気を行いながら、空気調和機１６による暖房（空調）が実現されうる。なお、空気調和機１６による暖房が既に開始されている場合、ステップＳ６２０は省略される。
【００６７】
次に、暖房ステップＳ２３５では、先ず、前記各居室４Ａ、４Ｂ又は４Ｃの前記値Ｗ１のうち、最も小さい最小値Ｗ１ｓが、予め定められた第３暖房閾値以下であるか否かが判断される（ステップＳ６２１）。このステップＳ６２１では、空気調和機１６（図１に示す）のより積極的な運転が、必要か否かが判断される。従って、第３暖房閾値は、０℃未満に設定されるのが望ましい。本実施形態の第３暖房閾値は、例えば、−０．５℃に設定されている。
【００６８】
最小値Ｗ１ｓが第３暖房閾値（例えば、−０．５℃）以下である場合（ステップＳ６２１で、「Ｙ」）、居室４Ａ、４Ｂ又は４Ｃ（図１に示す）の温度が低下している。このため、空気調和機１６（図１に示す）の積極的な運転を行わせる積極運転ステップＳ６２２が実施される。他方、最小値Ｗ１ｓが第３暖房閾値（例えば、−０．５℃）よりも大きい場合（ステップＳ６２１で、「Ｎ」）、各居室４Ａ、４Ｂ及び４Ｃが比較的暖まっている。このため、空気調和機１６の効率的な運転が行われる効率運転ステップＳ６２３が実施される。
【００６９】
図９は、本実施形態の積極運転ステップＳ６２２の処理手順の一例を示すフローチャートである。積極運転ステップＳ６２２では、先ず、各居室４Ａ、４Ｂ又は４Ｃ（図１に示す）の前記値Ｗ１のうち、最も大きい最大値Ｗ１ｍが、予め定められた第１暖房閾値以下であるか否かが判断される（ステップＳ６３１）。このステップＳ６３１では、各居室４Ａ、４Ｂ又は４Ｃへの暖空気（混合空気）の供給量を最大にして、暖房する必要があるか否かが判断される。従って、第１暖房閾値は、前ステップで用いられた第３暖房閾値（例えば、−０．５℃）よりも小に設定されるのが望ましい。本実施形態の第１暖房閾値は、−１．５℃に設定されている。
【００７０】
最大値Ｗ１ｍが第１暖房閾値（例えば、−１．５℃）以下である場合（ステップＳ６３１で、「Ｙ」）、全ての居室４Ａ、４Ｂ又は４Ｃ（図１に示す）の温度が大幅に低下している。このため、各居室４Ａ、４Ｂ又は４Ｃへの暖空気（混合空気）の供給量が最大に設定される（ステップＳ６３２）。この場合、各居室４Ａ、４Ｂ又は４Ｃのダンパー２０（図１に示す）は、最も大きい第５開度に設定される。これにより、各居室４Ａ、４Ｂ又は４Ｃの暖空気の供給量が最大にされうる。
【００７１】
他方、最大値Ｗ１ｍが第１暖房閾値（例えば、−１．５℃）よりも大きい場合（ステップＳ６３１で、「Ｎ」）、全ての居室４Ａ、４Ｂ又は４Ｃ（図１に示す）の温度が、大きく低下しているわけではない。従って、各居室４Ａ、４Ｂ又は４Ｃへの暖空気（混合空気）の供給量を個別に調節して、各居室４Ａ、４Ｂ又は４Ｃを効率的に暖房するのが有効である。この場合、次のステップＳ６３３及びステップＳ６３４が実行された後に、各居室４Ａ、４Ｂ又は４Ｃへの暖空気の供給量を個別に調節する居室供給量調節ステップが実施される。居室供給量調節ステップは、第１居室供給量調節ステップＳ６３５と、第２居室供給量調節ステップＳ６３６とが含まれている。
【００７２】
図１０は、第１居室供給量調節ステップＳ６３５の処理手順の一例を示すフローチャートである。図１１は、第２居室供給量調節ステップＳ６３６の処理手順の一例を示すフローチャートである。第１居室供給量調節ステップＳ６３５及び第２居室供給量調節ステップＳ６３６では、各居室４Ａ、４Ｂ及び４Ｃ（図１に示す）の前記値Ｗ１に基づいて、各居室４Ａ、４Ｂ及び４Ｃのダンパー２０（図１に示す）の開度が調節される。本実施形態では、前記値Ｗ１が小さい居室４Ａ、４Ｂ及び４Ｃほど、ダンパー２０ａ、２０ｂ及び２０ｃの開度が大に設定されている。これにより、温度が低い居室４Ａ、４Ｂ及び４Ｃほど、より多くの暖空気（混合空気）が供給されるため、各居室４Ａ、４Ｂ及び４Ｃが効率良く暖房されうる。
【００７３】
第１開度〜第５開度毎に、各居室４Ａ、４Ｂ又は４Ｃ（図１に示す）の前記値Ｗ１の閾値の範囲が設定されている。第１居室供給量調節ステップＳ６３５での閾値の範囲は、例えば、「＋３．０℃よりも大」、「＋３．０℃〜＋１．０℃」、「＋１．０℃〜−１．０℃」、「−１．０℃〜−３．０℃」、及び、「−３．０℃未満」である。他方、第２居室供給量調節ステップＳ６３６での閾値の範囲は、「＋１．５℃よりも大」、「＋１．５℃〜＋０．５℃」、「＋０．５℃〜−０．５℃」、「−０．５℃〜−１．５℃」、「−１．５℃未満」である。このように、第１居室供給量調節ステップＳ６３５は、第２居室供給量調節ステップＳ６３６に比べて、閾値の範囲が大に設定されている。
【００７４】
従って、第１居室供給量調節ステップＳ６３５は、各居室４Ａ、４Ｂ又は４Ｃ（図１に示す）の前記値Ｗ１が広範囲に分布していても、居室４Ａ、４Ｂ又は４Ｃ毎に、ダンパー２０ａ〜２０ｃの開度がバランスよく調節されうる。なお、第１居室供給量調節ステップＳ６３５及び第２居室供給量調節ステップＳ６３６の詳細については、後述する。
【００７５】
図９に示されるように、ステップＳ６３３では、各居室４Ａ、４Ｂ又は４Ｃ（図１に示す）の前記値Ｗ１のうち、最も小さい最小値Ｗ１ｓが第４暖房閾値以下であるか否かが判断される。最小値Ｗ１ｓが大幅に小さいと、各居室４Ａ、４Ｂ又は４Ｃの前記値Ｗ１が広範囲に分布している可能性が高い。従って、このような分布の有無を判断するために、第４暖房閾値については、第１暖房閾値（例えば、−１．５℃）よりも小に設定されるのが望ましい。本実施形態の第４暖房閾値は、例えば、−３．０℃に設定されている。
【００７６】
最小値Ｗ１ｓが第４暖房閾値（例えば、−３．０℃）以下である場合（ステップＳ６３３で、「Ｙ」）、各居室４Ａ、４Ｂ又は４Ｃ（図１に示す）の前記値Ｗ１が広範囲に分布している可能性が高い。この場合、第１居室供給量調節ステップＳ６３５が実施される。他方、最小値Ｗ１ｓが第４暖房閾値（例えば、−３．０℃）よりも大きい場合、本ステップＳ６３３のみでは、各居室４Ａ、４Ｂ又は４Ｃの前記値Ｗ１が広範囲に分布しているか否かが判断できないため、次のステップＳ６３４が実施される。
【００７７】
第１居室供給量調節ステップＳ６３５では、図１０に示されるように、前記値Ｗ１が小さい居室４Ａ、４Ｂ又は４Ｃ（図１に示す）ほど、そのダンパー２０（２０ａ〜２０ｃ（図１に示す））の開度が大に設定されている（ステップＳ６６０〜ステップＳ６６６）。例えば、前記値Ｗ１が＋３．０℃よりも大きい居室４Ａ、４Ｂ又は４Ｃのダンパー２０ａ、２０ｂ又は２０ｃは、最も小さい第１開度が設定される（ステップＳ６６１）。前記値Ｗ１が＋３．０℃〜＋１．０℃である居室４Ａ、４Ｂ又は４Ｃのダンパー２０は、第１開度よりも大きい第２開度に設定される（ステップＳ６６２）。前記値Ｗ１が＋１．０℃〜−１．０℃である居室４Ａ、４Ｂ又は４Ｃのダンパー２０は、第２開度よりも大きい第３開度に設定される（ステップＳ６６３）。
【００７８】
さらに、前記値Ｗ１が−１．０℃〜−３．０℃である居室４Ａ、４Ｂ又は４Ｃのダンパー２０（２０ａ〜２０ｃ）は、第３開度よりも大きい第４開度に設定される（ステップＳ６６４）。前記値Ｗ１が−３．０℃未満である居室４Ａ、４Ｂ又は４Ｃのダンパー２０は、第４開度よりも大きい第５開度に設定される（ステップＳ６６５）。
【００７９】
そして、全ての居室４Ａ、４Ｂ及び４Ｃのダンパー２０（２０ａ〜２０ｃ）の開度が調節されたか否かが判断される（ステップＳ６６６）。全ての居室４Ａ、４Ｂ及び４Ｃのダンパー２０の開度が調節されたと判断された場合（ステップＳ６６６で、「Ｙ」）、第１居室供給量調節ステップＳ６３５の一連の処理が終了する。他方、全ての居室４Ａ、４Ｂ及び４Ｃのダンパー２０の開度が調節されていないと判断された場合（ステップＳ６６６で、「Ｎ」）、他の居室４Ａ、４Ｂ又は４Ｃのダンパー２０が選択され（ステップＳ６６７）、ステップＳ６６０〜Ｓ６６６が再度実施される。これにより、前記値Ｗ１に基づいて、全ての居室４Ａ、４Ｂ及び４Ｃのダンパー２０の開度がそれぞれ調節されるため、各居室４Ａ、４Ｂ及び４Ｃへの暖空気（混合空気）の供給量が、個別に調節されうる。従って、各居室４Ａ、４Ｂ又は４Ｃが効率よく暖房されうる。なお、各ダンパー２０（２０ａ〜２０ｃ）の開度を区分した各閾値については、上記の値に限定されるわけではなく、例えば、換気手段１０のファン１０Ｂの風量に応じて、適宜変更されうる。
【００８０】
ステップＳ６３４では、図９に示されるように、最大値Ｗ１ｍが第５暖房閾値以上であるか否かが判断される。最大値Ｗ１ｍが大幅に大きいと、各居室４Ａ、４Ｂ又は４Ｃの前記値Ｗ１が広範囲に分布している可能性が高い。従って、このような分布の有無を判断するために、第５暖房閾値については、第２暖房閾値（例えば、＋１．５℃）よりも大きい値に設定されるのが望ましい。本実施形態の第５暖房閾値は、例えば、＋３．０℃に設定されている。
【００８１】
最大値Ｗ１ｍが第５暖房閾値（例えば、＋３．０℃）以上である場合（ステップＳ６３４で、「Ｙ」）、各居室４Ａ、４Ｂ又は４Ｃの前記値Ｗ１が広範囲に分布している可能性が高い。この場合、図１０に示した第１居室供給量調節ステップＳ６３５が実施される。他方、最大値Ｗ１ｍが第５暖房閾値（例えば、＋３．０℃）未満である場合（ステップＳ６３４で、「Ｎ」）、最大値Ｗ１ｍが比較的小であり、しかも、ステップＳ６３３の判断より、最小値Ｗ１ｓが比較的大きい。従って、各居室４Ａ、４Ｂ又は４Ｃの前記値Ｗ１が広範囲に分布している可能性が低い。この場合、第２居室供給量調節ステップＳ６３６が実施される。
【００８２】
第２居室供給量調節ステップＳ６３６では、図１１に示されるように、第１居室供給量調節ステップＳ６３５と同様に、前記値Ｗ１が小さい居室４Ａ、４Ｂ又は４Ｃほど、そのダンパー２０（２０ａ〜２０ｃ（図１に示す））の開度が大に設定されている（ステップＳ６７０〜ステップＳ６７５）。例えば、前記値Ｗ１が＋１．５℃よりも大きい居室４Ａ、４Ｂ又は４Ｃのダンパー２０は、最も小さい第１開度が設定される（ステップＳ６７１）。前記値Ｗ１が＋１．５℃〜＋０．５℃である居室４Ａ、４Ｂ又は４Ｃのダンパー２０は、第１開度よりも大きい第２開度に設定される（ステップＳ６７２）。前記値Ｗ１が＋０．５℃〜−０．５℃である居室４Ａ、４Ｂ又は４Ｃのダンパー２０は、第２開度よりも大きい第３開度に設定される（ステップＳ６７３）。
【００８３】
さらに、前記値Ｗ１が−０．５℃〜−１．５℃である居室４Ａ、４Ｂ又は４Ｃのダンパー２０（２０ａ〜２０ｃ）は、第３開度よりも大きい第４開度に設定される（ステップＳ６７４）。前記値Ｗ１が−１．５℃未満である居室４Ａ、４Ｂ又は４Ｃのダンパー２０は、第４開度よりも大きい第５開度に設定される（ステップＳ６７５）。
【００８４】
そして、全ての居室４Ａ、４Ｂ及び４Ｃのダンパー２０（２０ａ〜２０ｃ）の開度が調節されたか否かが判断される（ステップＳ６７６）。全ての居室４Ａ、４Ｂ及び４Ｃのダンパー２０の開度が調節されたと判断された場合（ステップＳ６７６で、「Ｙ」）、第２居室供給量調節ステップＳ６３６の一連の処理が終了する。他方、全ての居室４Ａ、４Ｂ及び４Ｃのダンパー２０の開度が調節されていないと判断された場合（ステップＳ６７６で、「Ｎ」）、他の居室４Ａ、４Ｂ又は４Ｃのダンパー２０が選択され（ステップＳ６７７）、ステップＳ６７０〜Ｓ６７６が再度実施される。これにより、前記値Ｗ１に基づいて、全ての居室４Ａ、４Ｂ及び４Ｃのダンパー２０の開度がそれぞれ調節されるため、各居室４Ａ、４Ｂ及び４Ｃへの暖空気（混合空気）の供給量が、個別に調節されうる。従って、各居室４Ａ、４Ｂ又は４Ｃが効率よく暖房されうる。なお、各ダンパー２０（２０ａ〜２０ｃ）の開度を区分した各閾値については、上記の値に限定されるわけではない。
【００８５】
本実施形態の積極運転ステップＳ６２２では、図９に示されるように、空気調和機１６の設定温度が調節される（空調温度調節ステップＳ６３７〜Ｓ６４０）。
【００８６】
ステップＳ６３１において、最大値Ｗ１ｍが第１暖房閾値（例えば、−１．５℃）以下であると判断された場合（ステップＳ６３１で、「Ｙ」）、全ての居室４Ａ、４Ｂ又は４Ｃの温度が大幅に低下している。しかも、最大値Ｗ１ｍが第１暖房閾値以下であるため、最小値Ｗ１ｓが、第１暖房閾値よりも大幅に小さい可能性がある。この場合、空気調和機１６の設定温度を高くして、暖房することが有効である。従って、空気調和機１６の設定温度は、目標温度（例えば、２０℃）と、第１加算温度との和に設定される（空調温度調節ステップＳ６３７）。第１加算温度については、適宜設定されうる。本実施形態の第１加算温度は、例えば、＋５℃に設定されている。
【００８７】
ステップＳ６３３において、最小値Ｗ１ｓが第４暖房閾値（例えば、−３．０℃）以下であると判断された場合（ステップＳ６３３で、「Ｙ」）、少なくとも一つの居室４Ａ、４Ｂ及び４Ｃの温度は、目標温度よりも大幅に低くなっている。この場合、空気調和機１６の設定温度を高くして、暖房することが有効である。このため、空気調和機１６の設定温度は、目標温度（例えば、２０℃）と、第１加算温度との和に設定される（空調温度調節ステップＳ６３８）。
【００８８】
ステップＳ６３４において、最大値Ｗ１ｍが第５暖房閾値（例えば、＋３．０℃）以上であると判断された場合（ステップＳ６３４で、「Ｙ」）、少なくとも一つの居室４Ａ、４Ｂ及び４Ｃの温度は、目標温度よりも大幅に高くなっている。このため、空調温度調節ステップＳ６３７及びＳ６３８ほど、空気調和機１６の設定温度を高くする必要はないと判断されうる。従って、空気調和機１６の設定温度は、目標温度（例えば、２０℃）と、第２加算温度との和に設定される（空調温度調節ステップＳ６３９）。第２加算温度については、第１加算温度よりも小であれば、適宜設定されうる。本実施形態の第２加算温度は、例えば、＋２℃に設定されている。
【００８９】
ステップＳ６３４において、最大値Ｗ１ｍが第５暖房閾値（例えば、＋３．０℃）未満であると判断された場合（ステップＳ６３４で、「Ｎ」）、上述したように、最大値Ｗ１ｍが比較的小であり、かつ、最小値Ｗ１ｓが比較的大きい。このため、各居室４Ａ、４Ｂ及び４Ｃの温度は、他の条件に比べて、目標温度に近似している。従って、空気調和機１６の設定温度は、目標温度（例えば、２０℃）と、第２加算温度との和に設定される（空調温度調節ステップＳ６４０）
【００９０】
このように、空調温度調節ステップＳ６３７〜Ｓ６４０では、最小値Ｗ１ｓが小さいほど、空気調和機１６の設定温度が大きくされ、かつ、最大値Ｗ１ｍが大きいほど、空気調和機１６の設定温度が小さくされうる。従って、各居室４Ａ、４Ｂ又は４Ｃが効果的に暖房されうる。
【００９１】
次に、本実施形態の積極運転ステップＳ６２２では、空気調和機１６の設定風量が調節される（空調風量調節ステップＳ６４１〜Ｓ６４４）。
【００９２】
ステップＳ６３１において、最大値Ｗ１ｍが第１暖房閾値（例えば、−１．５℃）以下であると判断された場合（ステップＳ６３１で、「Ｙ」）、最小値Ｗ１ｓが、第１暖房閾値よりも大幅に小さい可能性があるため、空気調和機１６の設定風量を大きくして、暖房することが有効である。従って、空気調和機１６の設定風量が、「強」に設定される（空調風量調節ステップＳ６４１）。
【００９３】
ステップＳ６３３において、最小値Ｗ１ｓが第４暖房閾値（例えば、−３．０℃）以下であると判断された場合（ステップＳ６３３で、「Ｙ」）も、同様に、空気調和機１６の設定風量が、「強」に設定される（空調風量調節ステップＳ６４２）。
【００９４】
ステップＳ６３４において、最大値Ｗ１ｍが第５暖房閾値（例えば、＋３．０℃）以上であると判断された場合（ステップＳ６３４で、「Ｙ」）、空調風量調節ステップＳ６４１及びＳ６４２ほど、空気調和機１６の設定風量を大きくする必要はないと判断されうる。このため、空気調和機１６の設定風量が、「弱」に設定される（空調風量調節ステップＳ６４３）。
【００９５】
ステップＳ６３４において、最大値Ｗ１ｍが第５暖房閾値（例えば、＋３．０℃）未満であると判断された場合（ステップＳ６３４で、「Ｎ」）、空調風量調節ステップＳ６４１及びＳ６４２ほど、空気調和機１６の設定風量を大きくする必要はないが、空調風量調節ステップＳ６４３よりも、空気調和機１６の設定風量を大きくするのが有効である。このため、空気調和機１６の設定風量が、「中」に設定される（空調風量調節ステップＳ６４４）。
【００９６】
このように、空調風量調節ステップＳ６４１〜Ｓ６４４では、最小値Ｗ１ｓが小さいほど、空気調和機１６の設定風量が大きくされ、かつ、最大値Ｗ１ｍが大きいほど、空気調和機１６の設定風量が小さくされうる。従って、各居室４Ａ、４Ｂ又は４Ｃが効果的に暖房されうる。
【００９７】
次に、本実施形態の積極運転ステップＳ６２２では、換気手段１０のファン１０Ｂの風量が調節される（ファン風量調節ステップＳ６４５〜Ｓ６４８）。
【００９８】
ステップＳ６３１において、最大値Ｗ１ｍが第１暖房閾値（例えば、−１．５℃）以下であると判断された場合（ステップＳ６３１で、「Ｙ」）、空調風量調節ステップＳ６４１と同様の観点より、ファン１０Ｂの風量が、第４風量（例えば、１０００m3／ｈ）に設定される（ファン風量調節ステップＳ６４５）。また、ステップＳ６３３において、最小値Ｗ１ｓが第４暖房閾値（例えば、−３．０℃）以下であると判断された場合（ステップＳ６３３で、「Ｙ」）、空調風量調節ステップＳ６４２と同様の観点より、ファン１０Ｂの風量が、第４風量（例えば、１０００m3／ｈ）に設定される（ファン風量調節ステップＳ６４６）。
【００９９】
ステップＳ６３４において、最大値Ｗ１ｍが第５暖房閾値（例えば、＋３．０℃）以上である場合（ステップＳ６３４で、「Ｙ」）、空調風量調節ステップＳ６４３と同様の観点より、ファン１０Ｂの風量が、第２風量（例えば、６００m3／ｈ）に設定される（ファン風量調節ステップＳ６４７）。また、ステップＳ６３４において、最大値Ｗ１ｍが第５暖房閾値（例えば、＋３．０℃）未満である場合（ステップＳ６３４で、「Ｎ」）、空調風量調節ステップＳ６４４と同様の観点より、ファン１０Ｂの風量が、第３風量（例えば、８００m3／ｈ）に設定される（ファン風量調節ステップＳ６４８）。
【０１００】
このように、ファン風量調節ステップＳ６４５〜Ｓ６４８も、最小値Ｗ１ｓが小さいほど、ファン１０Ｂの風量が大きくされ、かつ、最大値Ｗ１ｍが大きいほど、ファン１０Ｂの風量が小さくされうる。従って、各居室４Ａ、４Ｂ又は４Ｃが効果的に暖房されうる。このファン風量調節ステップＳ６４５〜Ｓ６４８の処理終了後、積極運転ステップＳ６２２及び暖房ステップＳ２３５（図８に示す）の一連の処理が終了する。
【０１０１】
図１２は、本実施形態の効率運転ステップＳ６２３の処理手順の一例を示すフローチャートである。上述したように、効率運転ステップＳ６２３は、空気調和機１６の効率的な運転が行われる。効率運転ステップＳ６２３では、先ず、現在の空気調和機１６の暖房能力が計算される（ステップＳ６８１）。本実施形態の暖房モードＳ２３において、空気調和機１６の暖房能力Ｅｗは、下記式（１）で求められる。
Ｅｗ＝（Ｔｂ−Ｔａ）×Ａｆ×Ｈｓ／１０００  …（１）
ここで、各定数及び変数については、次のとおりである。
Ｔｂ：空気調和機の排気部の温度（℃）
Ｔａ：空気調和機の吸気部の温度（℃）
Ａｆ：空気調和機の風量（m3／ｈ）
Ｈｓ：空気比熱（０．３５Wh／m3・℃）
【０１０２】
排気部１６ｂの温度Ｔｂは、排気温度検知手段２８（図２に示す）によって測定される。吸気部１６ａの温度ＴＡは、吸気温度検知手段２７によって測定される。空気調和機１６の風量は、空気調和機１６の運転状況が伝達される信号によって取得されうる。
【０１０３】
図１３（ａ）は、暖房能力とＣＯＰ（Coefficient of Performance ）との関係を示すグラフである。図１３（ａ）のグラフでは、ＣＯＰ、消費電力（ｋＷ）、及び、顕熱負荷（ｋＷ）が示されている。一般に、暖房能力Ｅｗが、２ｋＷ以上である場合、暖房効率が悪い状態である。このような場合、暖房能力Ｅｗが２ｋＷに近づくように、例えば、設定温度、及び、設定風量を小さくして、空気調和機１６が運転されるのが望ましい。
【０１０４】
次に、効率運転ステップＳ６２３では、図１２に示されるように、現在の空気調和機１６の暖房効率が悪いか否かが判断される（ステップＳ６８２）。本実施形態では、現在の暖房能力Ｅｗが２ｋＷ以上である場合に、暖房効率が悪いと判断される。このように、暖房効率が悪い場合、ステップＳ６８３以降の空気調和機１６の効率的な運転が行われる。
【０１０５】
現在の空気調和機１６の暖房効率が悪いと判断された場合（ステップＳ６８２で、「Ｙ」）、空気調和機１６の効率的な運転を行わせるに先立ち、次のステップＳ６８３が実施される。他方、現在の空気調和機１６の暖房効率が悪くないと判断された場合（ステップＳ６８２で、「Ｎ」）、既に、空気調和機１６の効率的な運転が行われている。このため、現在の空気調和機１６の運転状態（設定温度、及び、設定風量）、並びに、ファン１０Ｂの風量が維持されたまま、効率運転ステップＳ６２３及び暖房ステップＳ２３５（図８に示す）の一連の処理が終了する。
【０１０６】
次に、効率運転ステップＳ６２３では、空気調和機１６の設定温度が、目標温度（例えば、２０℃）よりも大きいか否かが判断される（ステップＳ６８３）。空気調和機１６の設定温度が、目標温度よりも大きい場合（ステップＳ６８３で、「Ｙ」）、その設定温度をやや小さくしても、各居室４Ａ、４Ｂ又は４Ｃを目標温度に暖房されうる。このような場合、ダンパー２０ａ〜２０ｃの開度が維持されたまま（ステップＳ６８４）、空気調和機１６の設定温度が小さくされる（ステップＳ６８５）。なお、空気調和機１６の設定温度の減少分は、適宜設定される。本実施形態の減少分は、例えば、−１℃に設定される。
【０１０７】
さらに、空気調和機１６の設定風量が「中」に設定され（ステップＳ６８６）、ファン１０Ｂの風量が第３風量（例えば、８００m3／ｈ）に設定される（ステップＳ６８７）。これにより、効率運転ステップＳ６２３では、各居室４Ａ、４Ｂ又は４Ｃが効率良く暖房されうる。
【０１０８】
空気調和機１６の設定温度が、目標温度以下である場合（ステップＳ６８３で、「Ｎ」）、設定温度をこれ以上小さくすると、各居室４Ａ、４Ｂ又は４Ｃを目標温度に維持できなくなるおそれがある。このため、ダンパー２０ａ〜２０ｃの開度が維持されるとともに（ステップＳ６８８）、空気調和機１６の設定温度が維持される（ステップＳ６８９）。
【０１０９】
さらに、空気調和機１６の設定風量が「弱」に設定され（ステップＳ６９０）、ファン１０Ｂの風量が第２風量（例えば、６００m3／ｈ）に設定される（ステップＳ６９１）。これにより、効率運転ステップＳ６２３では、空気調和機１６の暖房効率の悪化を防ぎつつ、各居室４Ａ、４Ｂ又は４Ｃが効率良く暖房されうる。
【０１１０】
次に、効率運転ステップＳ６２３では、ステップＳ６８４〜Ｓ６９１において設定された空気調和機１６の設定温度、設定風量、及び、ファン１０Ｂの風量が維持された状態で、空気調和機１６及びファン１０Ｂの運転が残置される（ステップＳ６９２）。これにより、空気調和機１６の暖房効率の悪化を防ぎつつ、各居室４Ａ、４Ｂ又は４Ｃが効率良く暖房されうる。なお、残置される時間については、適宜設定されうる。本実施形態では、効率運転ステップＳ６２３で設定された空気調和機１６の設定温度、設定風量、及び、ファン１０Ｂの風量により、各居室４Ａ、４Ｂ又は４Ｃが効率良く暖房させることを考慮して、例えば、５分程度に設定されるのが望ましい。このステップＳ６９２の処理終了後、効率運転ステップＳ６２３及び暖房ステップＳ２３５（図８に示す）の一連の処理が終了する。
【０１１１】
次に、図６に示されるように、暖房モードＳ２３では、暖房モードＳ２３が開始されてから予め定められた終了時間が経過したか否かが判断される（ステップＳ２３６）。終了時間については、適宜設定されうる。本実施形態では、暖房モードＳ２３で設定された空気調和機１６の設定温度、設定風量、及び、ファン１０Ｂの風量により、各居室４Ａ、４Ｂ又は４Ｃが効果的に暖房させることを考慮して、例えば、例えば、３０分程度に設定されるのが望ましい。
【０１１２】
終了時間が経過したと判断された場合（ステップＳ２３６で、「Ｙ」）、暖房モードＳ２３の一連の処理が終了する。他方、終了時間が経過していないと判断された場合（ステップＳ２３６で、「Ｎ」）、ステップＳ２３０〜Ｓ２３６が再度実施される。これにより、暖房モードＳ２３では、時々刻々と変化する各居室４Ａ、４Ｂ又は４Ｃの温度に基づいて、ダンパー２０の開度、空気調和機１６の設定温度、設定風量、及び、ファン１０Ｂの風量が調節されるため、各居室４Ａ、４Ｂ又は４Ｃが効果的に暖房されうる。なお、本実施形態の差Ｖ１は、各居室４Ａ、４Ｂ及び４Ｃの温度から目標温度を差し引いた値Ｗ１として求められる態様が例示されたが、これに限定されない。例えば、目標温度から各居室４Ａ、４Ｂ及び４Ｃの温度を差し引いた値として求められてもよい。
【０１１３】
次に、パッシブ暖房モードＳ２４では、床下空気１７が各居室４Ａ、４Ｂ及び４Ｃに供給されることにより、居室４Ａ、４Ｂ及び４Ｃがそれぞれ換気されながら空調される。図１４は、パッシブ暖房モードＳ２４の処理手順の一例を示すフローチャートである。パッシブ暖房モードＳ２４の一連の処理は、制御手段２６（図３に示す）によって行われる。
【０１１４】
パッシブ暖房モードＳ２４では、先ず、図１及び図３に示されるように、各居室４Ａ、４Ｂ及び４Ｃの温度が検知される（ステップＳ２４１）。各居室４Ａ、４Ｂ及び４Ｃの温度は、居室温度検知手段２５によってそれぞれ検知される。各居室４Ａ、４Ｂ及び４Ｃの温度は、制御手段２６に伝達される。
【０１１５】
次に、パッシブ暖房モードＳ２４では、外気の温度が検知される（ステップＳ２４２）。外気の温度は、外気温度検知手段２４によって検知される。外気の温度は、制御手段２６に伝達される。
【０１１６】
次に、パッシブ暖房モードＳ２４では、床下空気１７の温度が検知される（ステップＳ２４３）。床下空気１７の温度は、床下温度検知手段２３によって検知される。床下空気１７の温度は、制御手段２６に伝達される。
【０１１７】
次に、パッシブ暖房モードＳ２４では、各居室４Ａ、４Ｂ及び４Ｃの温度が、空気調和機１６による暖房運転が必要とされる温度よりも高いか否かが判断される（ステップＳ２４４）。なお、「空気調和機１６による暖房運転が必要とされる温度」については、例えば、建築物Ｂの構造や、床下空気１７による暖房能力（温度）等に応じて、適宜設定されうる。本実施形態では、例えば、１５℃程度に設定されている。
【０１１８】
各居室４Ａ、４Ｂ及び４Ｃの温度が、空気調和機１６による暖房運転が必要とされる温度（例えば、１５℃）よりも高い場合（ステップＳ２４４で、「Ｙ」）、床下空気１７を利用して暖房（空調）可能と判断されうる。このような場合、次のステップＳ２４５が実施される。他方、各居室４Ａ、４Ｂ及び４Ｃの温度が、空気調和機１６による暖房運転が必要とされる温度（例えば、１５℃）以下である場合（ステップＳ２４４で。「Ｎ」）、床下空気１７を利用しても、各居室４Ａ、４Ｂ及び４Ｃを十分に暖房できないと判断されうる。このような場合、パッシブ暖房モードＳ２４が中断され、前記暖房モードＳ２３（図５及び図６に示す）が実施される。
【０１１９】
次に、パッシブ暖房モードＳ２４では、外気の温度が、予め定められた温度以上であるか否かが判断される（ステップＳ２４５）。外気の「予め定められた温度」については、例えば、建築物Ｂの構造や、床下空気１７による暖房能力（温度）等に応じて、適宜設定されうる。本実施形態では、例えば、１０℃に設定されている。
【０１２０】
外気の温度が、予め定められた温度（例えば、１０℃）度以上である場合（ステップＳ２４５で、「Ｙ」）、外気による居室４Ａ、４Ｂ及び４Ｃの温度低下の影響が小さいため、床下空気１７を利用して、各居室４Ａ、４Ｂ及び４Ｃを暖房（空調）できると判断されうる。このような場合、次のステップＳ２４６が実施される。他方、外気の温度が、予め定められた温度（例えば、１０℃）未満である場合（ステップＳ２４５で、「Ｎ」）、床下空気１７を利用しても、各居室４Ａ、４Ｂ及び４Ｃを十分に暖房できないと判断されうる。このような場合、パッシブ暖房モードＳ２４が中断され、前記暖房モードＳ２３（図５及び図６に示す）が実施される。
【０１２１】
次に、パッシブ暖房モードＳ２４では、床下空気１７の温度が、予め定められた温度以上であるか否かが判断される（ステップＳ２４６）。床下空気１７の「予め定められた温度」については、例えば、建築物Ｂの構造等に応じて、適宜設定されうる。本実施形態では、例えば、１８℃に設定されている。
【０１２２】
床下空気１７の温度が、予め定められた温度（例えば、１８℃）以上である場合（ステップＳ２４６で、「Ｙ」）、比較的温度が高い床下空気１７を利用して、各居室４Ａ、４Ｂ及び４Ｃを暖房（空調）できると判断されうる。このような場合、次の第１供給ステップＳ２４７が実施される。他方、床下空気１７の温度が、予め定められた温度（例えば、１８℃）未満である場合（ステップＳ２４６で、「Ｎ」）、床下空気１７を利用しても、各居室４Ａ、４Ｂ及び４Ｃを効果的に暖房できないと判断されうる。このような場合、パッシブ暖房モードＳ２４が中断され、暖房モードＳ２３（図５及び図６に示す）が実施される。
【０１２３】
次に、パッシブ暖房モードＳ２４では、床下空気１７が、各居室４Ａ、４Ｂ及び４Ｃに供給される（第１供給ステップＳ２４７）。第１供給ステップＳ２４７は、ステップＳ２４４〜Ｓ２４６の判断により、各居室４Ａ、４Ｂ及び４Ｃの温度が、空気調和機１６による暖房運転が必要とされる温度よりも高く、かつ、外気の温度が、予め定められた温度以上であり、床下空気１７の温度が、予め定められた温度以上であると判断された場合にのみ実施される。従って、第１供給ステップＳ２４７では、各居室４Ａ、４Ｂ及び４Ｃの温度、外気の温度、及び、床下空気１７の温度が比較的高いため、空気調和機１６を使用しなくても、床下空気１７を利用して、各居室４Ａ、４Ｂ及び４Ｃが効果的に暖房（空調）されうる。従って、空調コストの増大を防ぐことができる。図１５は、第１供給ステップＳ２４７の処理手順の一例を示すフローチャートである。
【０１２４】
図１、図２及び図１５に示されるように、本実施形態の第１供給ステップＳ２４７では、先ず、換気手段１０のファン１０Ｂの風量（床下空気１７の総供給量）が設定される（ステップＳ７１１）。本実施形態のファン１０Ｂの風量は、例えば、冬季の自然換気量を考慮して、比較的小さい第２風量（６００m3／ｈ）に設定されている。なお、ステップＳ７１１では、チャンバーボックス９の開閉部９Ｃによって、第１空間９Ａと第２空間９Ｂとが遮断される。これにより、チャンバーボックス９の第１空間９Ａの空気は、排気口１４からダクト１０Ａ、空気浄化装置１０Ｃを経由して清浄化された後、ダンパー２０（２０ａ〜２０ｃ）を介して、各居室４Ａ、４Ｂ及び４Ｃ等の床上空間４に供給されうる。
【０１２５】
次に、第１供給ステップＳ２４７では、各居室４Ａ、４Ｂ及び４Ｃの温度と予め定められた目標温度との差Ｖａが求められる（ステップＳ７１２）。目標温度は、適宜設定されうる。本実施形態の目標温度は、ヒートショックを未然に防ぐ観点より、例えば、２０℃に設定されるのが望ましい。また、目標温度は、居室４Ａ、４Ｂ及び４Ｃ毎に設定されてもよい。目標温度は、記憶部３４に予め記憶されている。
【０１２６】
差Ｖａは、居室４Ａ、４Ｂ及び４Ｃ毎に求められる。本実施形態の差Ｖａは、暖房モードＳ２３と同様に、各居室４Ａ、４Ｂ及び４Ｃの温度から目標温度を差し引いた値として求められる。この値（差Ｖａ）が大きいほど、各居室４Ａ、４Ｂ及び４Ｃの温度が大きいことを示している。
【０１２７】
本実施形態では、ステップＳ２４６で判断された床下空気１７の温度（１８℃）が、目標温度（２０℃）よりも小に設定されている。このため、床下空気１７を利用しても、各居室４Ａ、４Ｂ及び４Ｃを目標温度まで暖めることができないようにも考えられる。しかしながら、本実施形態の各居室４Ａ、４Ｂ及び４Ｃは、家電製品や、居住者等による内部発熱を有するため、目標温度よりもやや小さい床下空気１７が利用されたとしても、各居室４Ａ、４Ｂ及び４Ｃを目標温度まで十分に暖めうる。このように、床下空気１７の温度が、目標温度よりも小であっても、空気調和機１６を使用しないパッシブ暖房モードＳ２４が実施されるため、空調コストが抑制されうる。
【０１２８】
次に、第１供給ステップＳ２４７では、各居室４Ａ、４Ｂ及び４Ｃの前記差Ｖａに基づいて、各居室４Ａ、４Ｂ及び４Ｃのダンパー２０（２０ａ〜２０ｃ）の開度が調節される（ステップＳ７１３〜ステップＳ７１９）。本実施形態では、前記差Ｖａが小さい居室４Ａ、４Ｂ又は４Ｃほど、ダンパー２０の開度（床下空気１７の供給量）が大に設定されている。これにより、温度が低い居室４Ａ、４Ｂ及び４Ｃほど、より多くの暖かい床下空気１７が供給されるため、各居室４Ａ、４Ｂ及び４Ｃが効率良く暖房されうる。
【０１２９】
例えば、前記差Ｖａが＋１．５℃よりも大きい居室４Ａ、４Ｂ又は４Ｃのダンパー２０は、最も小さい第１開度が設定される（ステップＳ７１４）。前記差Ｖａが＋１．５℃〜＋０．５℃である居室４Ａ、４Ｂ又は４Ｃのダンパー２０は、第１開度よりも大きい第２開度に設定される（ステップＳ７１５）。前記差Ｖａが＋０．５℃〜−０．５℃である居室４Ａ、４Ｂ又は４Ｃのダンパー２０は、第２開度よりも大きい第３開度に設定される（ステップＳ７１６）。
【０１３０】
さらに、前記差Ｖａが−０．５℃〜−１．５℃である居室４Ａ、４Ｂ又は４Ｃのダンパー２０（２０ａ〜２０ｃ）は、第３開度よりも大きい第４開度に設定される（ステップＳ７１７）。前記差Ｖａが−１．５℃未満である居室４Ａ、４Ｂ又は４Ｃのダンパー２０は、第４開度よりも大きい第５開度に設定される（ステップＳ７１８）。
【０１３１】
そして、全ての居室４Ａ、４Ｂ及び４Ｃのダンパー２０（２０ａ〜２０ｃ）の開度が調節されたか否かが判断される（ステップＳ７１９）。全ての居室４Ａ、４Ｂ及び４Ｃのダンパー２０の開度が調節されたと判断された場合（ステップＳ７１９で、「Ｙ」）、次のステップＳ２４８（図１４に示す）が実施される。他方、全ての居室４Ａ、４Ｂ及び４Ｃのダンパー２０の開度が調節されていないと判断された場合（ステップＳ７１９で、「Ｎ」）、他の居室４Ａ、４Ｂ又は４Ｃのダンパー２０が選択され（ステップＳ７２０）、ステップＳ７１３〜Ｓ７１９が再度実施される。これにより、前記差Ｖａに基づいて、全ての居室４Ａ、４Ｂ及び４Ｃのダンパー２０の開度がそれぞれ調節されうる。従って、各居室４Ａ、４Ｂ及び４Ｃへの床下空気１７の供給量が、個別に調節されうる。
【０１３２】
なお、ダンパー２０（２０ａ〜２０ｃ）の各開度を区分した前記差Ｖａの各閾値（本実施形態では、「＋１．５℃」、「＋０．５℃」、「−０．５℃」、「−１．５℃」）については、例えば、換気手段１０のファン１０Ｂの風量に応じて、適宜変更されうる。また、本実施形態の前記差Ｖａは、各居室４Ａ、４Ｂ及び４Ｃの温度から目標温度を差し引いた値として求められる態様が例示されたが、これに限定されない。例えば、目標温度から各居室４Ａ、４Ｂ及び４Ｃの温度を差し引いた値として求められてもよい。この場合、前記差Ｖａが大きいほど、ダンパー２０の開度（床下空気１７の供給量）が大に設定されるのが望ましい。
【０１３３】
次に、図１及び図１４に示されるように、パッシブ暖房モードＳ２４では、第１供給ステップＳ２４７の開始から予め定められた時間が経過するまで、各居室４Ａ、４Ｂ及び４Ｃへの床下空気１７の供給が残置される（ステップＳ２４８）。このような残置により、第１供給ステップＳ２４７で設定された各居室４Ａ、４Ｂ及び４Ｃのダンパー２０（２０ａ〜２０ｃ）の開度に基づいて、床下空気１７が一定時間供給されるため、各居室４Ａ、４Ｂ及び４Ｃが効果的に暖房されうる。残置される時間については、適宜設定されうる。本実施形態では、換気手段１０のファン１０Ｂの風量や、各居室４Ａ、４Ｂ及び４Ｃへの床下空気１７の供給量等を考慮して、例えば、２０分〜３０分程度に設定されている。
【０１３４】
次に、パッシブ暖房モードＳ２４では、各居室４Ａ、４Ｂ及び４Ｃの温度が、予め定められた温度以上か否かが判断される（ステップＳ２４９）。各居室４Ａ、４Ｂ及び４Ｃの「予め定められた温度」については、適宜設定されうる。本実施形態では、例えば、第１供給ステップＳ２４７で設定された目標温度（例えば、２０℃）と、ステップＳ２４６で判断された床下空気１７の温度（１８℃）との間の温度（１９℃）に設定される。これにより、床下空気１７を利用して、各居室４Ａ、４Ｂ及び４Ｃの温度が目標温度に向かって、上昇しているか否かが判断されうる。
【０１３５】
各居室４Ａ、４Ｂ及び４Ｃの温度が前記温度（１９℃）以上である場合（ステップＳ２４９で、「Ｙ」）、床下空気１７を利用して、各居室４Ａ、４Ｂ及び４Ｃが効果的に暖房されていると判断されうる。このような場合、次のステップＳ２５０が実施される。他方、各居室４Ａ、４Ｂ及び４Ｃの温度が前記温度未満（即ち、少なくとも一つの居室４Ａ、４Ｂ及び４Ｃの温度が前記温度未満）である場合（ステップＳ２４９で、「Ｎ」）、床下空気１７を利用しても、各居室４Ａ、４Ｂ及び４Ｃを効果的に暖房できないと判断されうる。この場合、パッシブ暖房モードＳ２４が中断され、暖房モードＳ２３（図５及び図６に示す）が実施される。このように、本実施形態では、各居室４Ａ、４Ｂ及び４Ｃに床下空気１７が一定時間供給されても、各居室４Ａ、４Ｂ及び４Ｃが十分に暖房されないと判断された場合に、パッシブ暖房モードＳ２４が中断され、暖房モードＳ２３が迅速に実施される。従って、各居室４Ａ、４Ｂ及び４Ｃが確実に暖房されうる。
【０１３６】
次に、パッシブ暖房モードＳ２４では、ステップＳ２４１〜ステップＳ２４９を経た現在において、第１期間（冬季パッシブ期間）か否かが判断される（ステップＳ２５０）。現在が第１期間であると判断された場合（ステップＳ２５０で、「Ｙ」）、ステップＳ２４５〜Ｓ２５０が再度実施される。これにより、第１期間（冬季パッシブ期間）では、空気調和機１６を使用しなくても、自然エネルギーのみを利用して、各居室４Ａ、４Ｂ及び４Ｃが継続して暖房（空調）されうるため、空調コストの増大が防がれうる。
【０１３７】
他方、現在が第１期間（冬季パッシブ期間）外であると判断された場合（ステップＳ２５０で、「Ｎ」）、パッシブ暖房モードＳ２４の一連の処理が終了する。
【０１３８】
上述した換気モードＳ２２、暖房モードＳ２３、及び、パッシブ暖房モードＳ２４の一連の処理が終了することにより、次のステップＳ４（図４に示す）が実施される。これにより、冬季空調ステップＳ２では、現在が属する期間に応じて、各居室４Ａ、４Ｂ及び４Ｃが、効率よく暖房（空調）されうる。
【０１３９】
図１６は、本実施形態の夏季空調ステップＳ３の処理手順の一例を示すフローチャートである。図１及び図１６に示されるように、夏季空調ステップＳ３では、空気調和機１６による冷房が不要な中間期間、空気調和機による冷房が必要な冷房期間、及び、中間期間と冷房期間との間の第２期間（以下、単に「夏季パッシブ期間」ということがある。）で、異なる処理手順が実施される。中間期間は、例えば、４月２８日〜６月１６日と、９月２３日〜１０月２５日である。冷房期間は、例えば、８月１日〜８月２１日である。第２期間（夏季パッシブ期間）は、例えば、６月１７日〜７月３１日と、８月２２日〜９月２２日である。なお、中間期間、冷房期間、及び、第２期間（夏季パッシブ期間）は、例示した期間に限定されるわけではなく、例えば、建築物Ｂが竣工された地域の気候に応じて、適宜変更されうる。
【０１４０】
夏季空調ステップＳ３では、先ず、現在が中間期間、冷房期間、又は、第２期間（夏季パッシブ期間）のいずれに属するかが判断される（ステップＳ３１）。これらの判断は、制御手段２６によって行われる。現在が、中間期間に含まれると判断された場合、次の換気モードＳ３２が実施される。また、現在が、冷房期間に含まれると判断された場合、次の冷房モードＳ３３が実施される。さらに、現在が、第２期間（夏季パッシブ期間）に含まれると判断された場合、次の、パッシブ冷房モードＳ３４が実施される。
【０１４１】
換気モードＳ３２では、冬季空調ステップＳ２の換気モードＳ２２と同様に、第１空間９Ａと第２空間９Ｂとが遮断される。さらに、換気手段１０のファン１０Ｂが運転される。これにより、チャンバーボックス９、換気手段１０及びダンパー２０（２０ａ〜２０ｃ）を介して、床下空気１７が各居室４Ａ、４Ｂ及び４Ｃに供給される。また、居室４Ａ、４Ｂ及び４Ｃの空気は、排気用のファン３８等によって屋外へ排出される。これにより、各居室４Ａ、４Ｂ及び４Ｃは、清浄化された外気によって換気される。これらの換気モードＳ３２の一連の処理は、制御手段２６によって行われる。また、ファン１０Ｂの風量は、第１風量（例えば、１７５m3／ｈ）に設定されている。各居室４Ａ、４Ｂ又は４Ｃのダンパー２０は、第１開度〜第５開度から適宜選択される。
【０１４２】
次に、冷房モードＳ３３では、空気調和機１６で冷却された冷空気が、各居室４Ａ、４Ｂ及び４Ｃに供給される。図１７は、冷房モードＳ３３の処理手順の一例を示すフローチャートである。冷房モードＳ３３の一連の処理は、制御手段２６（図３に示す）によって行われる。
【０１４３】
冷房モードＳ３３では、先ず、目標温度が設定される（ステップＳ３３０）。目標温度は、空気調和機１６による冷房により、各居室４Ａ、４Ｂ及び４Ｃで維持したい温度である。目標温度は、適宜設定されうる。本実施形態の目標温度は、屋内熱中症を未然に防ぐ観点より、例えば、２６℃〜２９℃（本実施形態では、２８℃）に設定されるのが望ましい。本実施形態の目標温度は、居室４Ａ、４Ｂ及び４Ｃ毎にそれぞれ設定されてもよいし、同一でもよい。目標温度は、記憶部３４に記憶されており、作業用メモリ３５に読み込まれる。
【０１４４】
次に、冷房モードＳ３３では、図１及び図３に示されるように、各居室４Ａ、４Ｂ及び４Ｃの温度が検知される（ステップＳ３３１）。各居室４Ａ、４Ｂ及び４Ｃの温度は、居室温度検知手段２５（２５ａ〜２５ｃ）によってそれぞれ検知される。各居室４Ａ、４Ｂ及び４Ｃの温度は、制御手段２６に伝達される。
【０１４５】
次に、冷房モードＳ３３では、各居室４Ａ、４Ｂ及び４Ｃの温度と予め定められた目標温度との差Ｖ２が求められる（ステップＳ３３２）。差Ｖ２は、居室４Ａ、４Ｂ及び４Ｃ毎に求められる。本実施形態の差Ｖ２は、各居室４Ａ、４Ｂ及び４Ｃの温度から目標温度を差し引いた値Ｗ２として求められる。この値Ｗ２（差Ｖ２）が小さいほど、各居室４Ａ、４Ｂ及び４Ｃの温度が小さいことを示している。
【０１４６】
次に、冷房モードＳ３３では、全ての居室４Ａ、４Ｂ及び４Ｃの前記値Ｗ２が、予め定められた第２冷房閾値以下であるか否かが判断される（ステップＳ３３３）。ステップＳ２３３では、空気調和機１６による空調（冷房）が、必要か否かが判断される。従って、第２冷房閾値は、０℃以下に設定されるのが望ましい。本実施形態の第２冷房閾値は、例えば、−１．５℃に設定されている。
【０１４７】
全ての居室４Ａ、４Ｂ及び４Ｃの前記値Ｗ１が、予め定められた第２冷房閾値（例えば、−１．５℃）以下であると判断された場合（ステップＳ３３３で、「Ｙ」）、全ての居室４Ａ、４Ｂ及び４Ｃの温度は、目標温度（例えば、２８℃）よりも小であり、十分に冷却されている。従って、空気調和機１６による空調（冷房）が不要であると判断されうる。このような場合、次の空調停止ステップＳ３３４が実行される。なお、空調停止ステップＳ３３４の処理手順は、図７に示した暖房モードＳ２３の空調停止ステップＳ２３４の処理手順と同一である。
【０１４８】
他方、全ての居室４Ａ、４Ｂ及び４Ｃの前記値Ｗ１が、予め定められた第２冷房閾値（例えば、−１．５℃）よりも大きいと判断された場合（ステップＳ３３３で、「Ｎ」）、全ての居室４Ａ、４Ｂ及び４Ｃが十分に冷却されていないため、空気調和機１６による空調（冷房）が必要であると判断されうる。このような場合、空気調和機１６で冷却された冷空気を、各居室４Ａ、４Ｂ及び４Ｃに供給する冷房ステップＳ３３５が実行される。
【０１４９】
図１８は、冷房ステップＳ３３５の処理手順の一例を示すフローチャートである。冷房ステップＳ３３５では、先ず、空気調和機１６による冷房が開始される（ステップＳ８２０）。本実施形態のステップＳ８２０では、先ず、暖房モードＳ２３と同様に、第１空間９Ａと第２空間９Ｂとが連通され、空気調和機１６が冷房運転される。さらに、換気手段１０のファン１０Ｂが運転される。これにより、第１空間９Ａにおいて、床下空間３の空気と、空気調和機１６で冷却された冷空気とが混合される。そして、この混合空気（冷空気＋床下空気）が換気手段１０によって各居室４Ａ、４Ｂ及び４Ｃに供給される。これにより、換気を行いながら、空気調和機１６による冷房（空調）が実現されうる。空気調和機１６の設定温度、設定風量、及び、ファン１０Ｂの風量については、適宜設定されうる。なお、空気調和機１６による冷房が既に開始されている場合、ステップＳ８２０は省略される。
【０１５０】
次に、冷房ステップＳ３３５では、先ず、前記各居室４Ａ、４Ｂ又は４Ｃの前記値Ｗ２のうち、最も大きい最大値Ｗ２ｍが、予め定められた第３冷房閾値以上であるか否かが判断される（ステップＳ８２１）。このステップＳ８２１では、空気調和機１６のより積極的な運転が、必要か否かが判断される。従って、第３冷房閾値は、０℃よりも大きい温度に設定されるのが望ましい。本実施形態の第３冷房閾値は、例えば、＋０．５℃に設定されている。
【０１５１】
最大値Ｗ２ｍが第３冷房閾値（例えば、＋０．５℃）以上である場合（ステップＳ８２１で、「Ｙ」）、居室４Ａ、４Ｂ又は４Ｃの温度が高くなっている。このため、空気調和機１６の積極的な運転を行わせる積極運転ステップＳ８２２が実施される。他方、最大値Ｗ２ｍが第３冷房閾値（例えば、＋０．５℃）よりも小である場合（ステップＳ８２１で、「Ｎ」）、各居室４Ａ、４Ｂ及び４Ｃが比較的冷却されている。このため、空気調和機１６の効率的な運転が行われる効率運転ステップＳ８２３が実施される。
【０１５２】
図１９は、本実施形態の積極運転ステップＳ８２２の処理手順の一例を示すフローチャートである。積極運転ステップＳ８２２では、先ず、各居室４Ａ、４Ｂ又は４Ｃの前記値Ｗ２のうち、最も小さい最小値Ｗ２ｓが、予め定められた第１冷房閾値以上か否かが判断される（ステップＳ８３１）。このステップＳ８３１では、各居室４Ａ、４Ｂ又は４Ｃへの冷空気（混合空気）の供給量を最大にして、冷房する必要があるか否かが判断される。従って、第１冷房閾値は、前ステップで用いられた第３冷房閾値（例えば、＋０．５℃）よりも大きい値に設定されるのが望ましい。本実施形態の第１冷房閾値は、＋１．５℃に設定されている。
【０１５３】
最小値Ｗ２ｓが第１冷房閾値（例えば、＋１．５℃）以上の場合（ステップＳ８３１で、「Ｙ」）、全ての居室４Ａ、４Ｂ又は４Ｃの温度が大幅に上昇している。このため、各居室４Ａ、４Ｂ又は４Ｃへの冷空気（混合空気）の供給量が最大に設定される（ステップＳ８３２）。ステップＳ８３２では、各居室４Ａ、４Ｂ又は４Ｃのダンパー２０が、最も大きい第５開度に設定される。これにより、各居室４Ａ、４Ｂ又は４Ｃへの冷空気の供給量が最大にされうる。
【０１５４】
他方、最小値Ｗ２ｓが第１冷房閾値（例えば、＋１．５℃）未満である場合（ステップＳ８３１で、「Ｎ」）、全ての居室４Ａ、４Ｂ又は４Ｃの温度が、大幅に上昇しているわけではない。従って、各居室４Ａ、４Ｂ又は４Ｃへの冷空気（混合空気）の供給量を個別に調節して、各居室４Ａ、４Ｂ又は４Ｃを効率的に冷房するのが有効である。この場合、次のステップＳ８３３及びステップＳ８３４が実行された後に、各居室４Ａ、４Ｂ又は４Ｃへの冷空気の供給量を個別に調節する居室供給量調節ステップが実施される。本実施形態の居室供給量調節ステップは、第１居室供給量調節ステップＳ８３５と、第２居室供給量調節ステップＳ８３６とが含まれている。
【０１５５】
図２０は、第１居室供給量調節ステップＳ８３５の処理手順の一例を示すフローチャートである。図２１は、第２居室供給量調節ステップＳ８３６の処理手順の一例を示すフローチャートである。第１居室供給量調節ステップＳ８３５及び第２居室供給量調節ステップＳ８３６では、各居室４Ａ、４Ｂ及び４Ｃの前記値Ｗ２に基づいて、各居室４Ａ、４Ｂ及び４Ｃのダンパー２０（２０ａ〜２０ｃ）の開度が調節される。本実施形態では、前記値Ｗ２が大きい居室４Ａ、４Ｂ及び４Ｃほど、ダンパー２０の開度が大に設定されている。これにより、温度が高い居室４Ａ、４Ｂ及び４Ｃほど、より多くの冷空気（混合空気）が供給されるため、各居室４Ａ、４Ｂ及び４Ｃが効率良く冷房されうる。
【０１５６】
各ダンパー２０ａ〜２０ｃの第１開度〜第５開度毎に、各居室４Ａ、４Ｂ又は４Ｃの前記値Ｗ２の閾値の範囲が設定されている。暖房モードＳ２３と同様に、第１居室供給量調節ステップＳ８３５は、第２居室供給量調節ステップＳ８３６に比べて、閾値の範囲が大に設定されている。このため、第１居室供給量調節ステップＳ８３５は、各居室４Ａ、４Ｂ又は４Ｃの前記値Ｗ２が広範囲に分布していても、居室４Ａ、４Ｂ又は４Ｃ毎に、各ダンパー２０ａ〜２０ｃの開度がバランスよく調節されうる。なお、第１居室供給量調節ステップＳ８３５及び第２居室供給量調節ステップＳ８３６の詳細については、後述する。
【０１５７】
図１９に示されるように、ステップＳ８３３では、各居室４Ａ、４Ｂ又は４Ｃの前記値Ｗ２のうち、最も大きい最大値Ｗ２ｍが第４冷房閾値以上か否かが判断される。最大値Ｗ２ｍが大幅に大きいと、各居室４Ａ、４Ｂ又は４Ｃの前記値Ｗ２が広範囲に分布している可能性が高い。従って、このような分布の有無を判断するために、第４冷房閾値については、第１冷房閾値（例えば、＋１．５℃）よりも大に設定されるのが望ましい。本実施形態の第４冷房閾値は、例えば、＋３．０℃に設定されている。
【０１５８】
最大値Ｗ２ｍが第４冷房閾値（例えば、＋３．０℃）以上である場合（ステップＳ８３３で、「Ｙ」）、各居室４Ａ、４Ｂ又は４Ｃの前記値Ｗ２が広範囲に分布している可能性が高い。この場合、第１居室供給量調節ステップＳ８３５が実施される。他方、最大値Ｗ２ｍが第４冷房閾値（例えば、＋３．０℃）未満である場合、本ステップＳ８３３のみでは、各居室４Ａ、４Ｂ又は４Ｃの前記値Ｗ１が広範囲に分布しているか否かが判断できないため、次のステップＳ８３４が実施される。
【０１５９】
第１居室供給量調節ステップＳ８３５では、図２０に示されるように、前記値Ｗ２が大きい居室４Ａ、４Ｂ又は４Ｃほど、ダンパー２０（２０ａ〜２０ｃ（図１に示す））の開度が大に設定されている（ステップＳ８６０〜ステップＳ８６５）。例えば、前記値Ｗ２が−３．０℃未満である居室４Ａ、４Ｂ又は４Ｃのダンパー２０は、最も小さい第１開度が設定される（ステップＳ８６１）。前記値Ｗ２が−３．０℃〜−１．０℃である居室４Ａ、４Ｂ又は４Ｃのダンパー２０は、第１開度よりも大きい第２開度に設定される（ステップＳ８６２）。前記値Ｗ２が−１．０〜＋１．０である居室４Ａ、４Ｂ又は４Ｃのダンパー２０は、第２開度よりも大きい第３開度に設定される（ステップＳ８６３）。
【０１６０】
さらに、前記値Ｗ２が＋１．０〜＋３．０である居室４Ａ、４Ｂ又は４Ｃのダンパー２０（２０ａ〜２０ｃ）は、第３開度よりも大きい第４開度に設定される（ステップＳ８６４）。前記値Ｗ２が＋３．０よりも大きい居室４Ａ、４Ｂ又は４Ｃのダンパー２０は、第４開度よりも大きい第５開度に設定される（ステップＳ８６５）。
【０１６１】
そして、全ての居室４Ａ、４Ｂ及び４Ｃのダンパー２０（２０ａ〜２０ｃ）の開度が調節されたか否かが判断される（ステップＳ８６６）。全ての居室４Ａ、４Ｂ及び４Ｃのダンパー２０の開度が調節されたと判断された場合（ステップＳ８６６で、「Ｙ」）、第１居室供給量調節ステップＳ８３５の一連の処理が終了する。他方、全ての居室４Ａ、４Ｂ及び４Ｃのダンパー２０の開度が調節されていないと判断された場合（ステップＳ８６６で、「Ｎ」）、他の居室４Ａ、４Ｂ又は４Ｃのダンパー２０が選択され（ステップＳ８６７）、ステップＳ８６１〜Ｓ８６６が再度実施される。これにより、前記値Ｗ２に基づいて、全ての居室４Ａ、４Ｂ及び４Ｃのダンパー２０の開度がそれぞれ調節されるため、各居室４Ａ、４Ｂ及び４Ｃへの冷空気（混合空気）の供給量が、個別に調節されうる。従って、各居室４Ａ、４Ｂ又は４Ｃが効率よく冷房されうる。なお、各ダンパー２０（２０ａ〜２０ｃ）の開度を区分した各閾値については、上記の値に限定されるわけではない。
【０１６２】
次に、ステップＳ８３４では、図１９に示されるように、最小値Ｗ２ｓが第５冷房閾値以下であるか否かが判断される。最小値Ｗ２ｓが大幅に小さいと、各居室４Ａ、４Ｂ又は４Ｃの前記値Ｗ２が広範囲に分布している可能性が高い。従って、このような分布の有無を判断するために、第５冷房閾値については、第２冷房閾値（例えば、−１．５℃）よりも小に設定されるのが望ましい。本実施形態の第５冷房閾値は、例えば、−３．０℃に設定されている。
【０１６３】
最小値Ｗ２ｓが第５冷房閾値（例えば、−３．０℃）以下である場合（ステップＳ８３４で、「Ｙ」）、各居室４Ａ、４Ｂ又は４Ｃの前記値Ｗ２が広範囲に分布している可能性が高い。この場合、図２０に示した第１居室供給量調節ステップＳ８３５が実施される。他方、最小値Ｗ２ｓが第５冷房閾値（例えば、−３．０℃）よりも大きい場合（ステップＳ８３４で、「Ｎ」）、最小値Ｗ２ｓが比較的大であり、しかも、ステップＳ８３３の判断より、最大値Ｗ２ｍが比較的小さい。従って、各居室４Ａ、４Ｂ又は４Ｃの前記値Ｗ２が広範囲に分布している可能性が低い。この場合、第２居室供給量調節ステップＳ８３６が実施される。
【０１６４】
第２居室供給量調節ステップＳ８３６では、図２１に示されるように、第１居室供給量調節ステップＳ８３５と同様に、前記値Ｗ２が大きい居室４Ａ、４Ｂ又は４Ｃほど、ダンパー２０（２０ａ〜２０ｃ（図１に示す））の開度が大に設定されている（ステップＳ８７０〜ステップＳ８７５）。例えば、前記値Ｗ２が−１．５℃未満である居室４Ａ、４Ｂ又は４Ｃのダンパー２０は、最も小さい第１開度が設定される（ステップＳ８７１）。前記値Ｗ２が−１．５℃〜−０．５℃である居室４Ａ、４Ｂ又は４Ｃのダンパー２０は、第１開度よりも大きい第２開度に設定される（ステップＳ８７２）。前記値Ｗ２が−０．５〜＋０．５である居室４Ａ、４Ｂ又は４Ｃのダンパー２０は、第２開度よりも大きい第３開度に設定される（ステップＳ８７３）。
【０１６５】
さらに、前記値Ｗ２が＋０．５〜＋１．５である居室４Ａ、４Ｂ又は４Ｃのダンパー２０（２０ａ〜２０ｃ）は、第３開度よりも大きい第４開度に設定される（ステップＳ８７４）。前記値Ｗ２が＋１．５よりも大きい居室４Ａ、４Ｂ又は４Ｃのダンパー２０は、第４開度よりも大きい第５開度に設定される（ステップＳ８７５）。
【０１６６】
そして、全ての居室４Ａ、４Ｂ及び４Ｃのダンパー２０（２０ａ〜２０ｃ）の開度が調節されたか否かが判断される（ステップＳ８７６）。全ての居室４Ａ、４Ｂ及び４Ｃのダンパー２０の開度が調節されたと判断された場合（ステップＳ８７６で、「Ｙ」）、第２居室供給量調節ステップＳ８３６の一連の処理が終了する。他方、全ての居室４Ａ、４Ｂ及び４Ｃのダンパー２０の開度が調節されていないと判断された場合（ステップＳ８７６で、「Ｎ」）、他の居室４Ａ、４Ｂ又は４Ｃのダンパー２０が選択され（ステップＳ８７７）、ステップＳ８７０〜Ｓ８７６が再度実施される。これにより、前記値Ｗ２に基づいて、全ての居室４Ａ、４Ｂ及び４Ｃのダンパー２０の開度がそれぞれ調節されるため、各居室４Ａ、４Ｂ及び４Ｃへの冷空気（混合空気）の供給量が、個別に調節されうる。従って、各居室４Ａ、４Ｂ又は４Ｃが効率よく冷房されうる。なお、各ダンパー２０（２０ａ〜２０ｃ）の開度を区分した各閾値については、上記の値に限定されるわけではない。
【０１６７】
本実施形態の積極運転ステップＳ８２２では、図１９に示されるように、空気調和機１６の設定温度が調節される（空調温度調節ステップＳ８３７〜Ｓ８４０）。
【０１６８】
ステップＳ８３１において、最小値Ｗ２ｓが第１冷房閾値（例えば、＋１．５℃）以上であると判断された場合（ステップＳ８３１で、「Ｙ」）、全ての居室４Ａ、４Ｂ又は４Ｃの温度が大幅に上昇している。しかも、最小値Ｗ２ｓが第１冷房閾値以上であることから、最大値Ｗ２ｍは、第１冷房閾値よりも大幅に大きい可能性がある。この場合、空気調和機１６の設定温度を低くして、冷房することが有効である。従って、空気調和機１６の設定温度は、目標温度（例えば、２８℃）と、第１減算温度との差に設定される（空調温度調節ステップＳ８３７）。第１減算温度については、適宜設定されうる。本実施形態の第１減算温度は、例えば、−５℃に設定されている。
【０１６９】
ステップＳ８３３において、最大値Ｗ２ｍが第４冷房閾値（例えば、＋３．０℃）以上と判断された場合（ステップＳ８３３で、「Ｙ」）、少なくとも一つの居室４Ａ、４Ｂ及び４Ｃの温度は、目標温度よりも大幅に大きくなっている。このため、空気調和機１６の設定温度は、目標温度（例えば、２８℃）と、第１減算温度（例えば、−５℃）との差に設定される（空調温度調節ステップＳ８３８）。
【０１７０】
ステップＳ８３４において、最小値Ｗ２ｓが第５冷房閾値（例えば、−３．０℃）以下であると判断された場合（ステップＳ８３４で、「Ｙ」）、少なくとも一つの居室４Ａ、４Ｂ及び４Ｃの温度は、目標温度よりも大幅に低くなっている。このため、空調温度調節ステップＳ８３７及びＳ８３８ほど、空気調和機１６の設定温度を高くする必要はないと判断されうる。従って、空気調和機１６の設定温度は、目標温度（例えば、２８℃）と、第２減算温度との差に設定される（空調温度調節ステップＳ８３９）。第２減算温度については、第１減算温度よりも大きければ、適宜設定されうる。本実施形態の第２減算温度は、例えば、−２℃に設定されている。
【０１７１】
ステップＳ８３４において、最小値Ｗ２ｓが第５冷房閾値（例えば、−３．０℃）よりも大きいと判断された場合（ステップＳ８３４で、「Ｎ」）、上述したように、最小値Ｗ２ｓが比較的大であり、かつ、最大値Ｗ２ｍが比較的小さい。このため、各居室４Ａ、４Ｂ及び４Ｃの温度は、他の条件に比べて、目標温度に近似している。従って、空気調和機１６の設定温度は、目標温度と、第２減算温度（例えば、−２℃）との差に設定される（空調温度調節ステップＳ８４０）。
【０１７２】
このように、空調温度調節ステップＳ８３７〜Ｓ８４０では、最大値Ｗ２ｍが大きいほど、空気調和機１６の設定温度が小さくされ、かつ、最小値Ｗ２ｓが小さいほど、空気調和機１６の設定温度が大きくされうる。従って、各居室４Ａ、４Ｂ又は４Ｃが効果的に冷房されうる。
【０１７３】
次に、本実施形態の積極運転ステップＳ８２２では、空気調和機１６の設定風量が調節される（空調風量調節ステップＳ８４１〜Ｓ８４４）。
【０１７４】
ステップＳ８３１において、最小値Ｗ２ｓが第１冷房閾値（例えば、＋１．５℃）以上であると判断された場合（ステップＳ８３１で、「Ｙ」）、最大値Ｗ２ｍが、第１冷房閾値よりも大幅に大きい可能性があるため、空気調和機１６の設定風量を大きくして、冷房することが有効である。従って、空気調和機１６の設定風量が、「強」に設定される（空調風量調節ステップＳ８４１）。
【０１７５】
ステップＳ８３３において、最大値Ｗ２ｍが第４冷房閾値（例えば、＋３．０℃）以上であると判断された場合（ステップＳ８３３で、「Ｙ」）も、同様に、空気調和機１６の設定風量が、「強」に設定される（空調風量調節ステップＳ８４２）。
【０１７６】
ステップＳ８３４において、最小値Ｗ２ｓが第５冷房閾値（例えば、−３．０℃）以下であると判断された場合（ステップＳ８３４で、「Ｙ」）、空調風量調節ステップＳ８４１及びＳ８４２ほど、空気調和機１６の設定風量を大きくする必要はないと判断されうる。このため、空気調和機１６の設定風量が、「弱」に設定される（空調風量調節ステップＳ８４３）。
【０１７７】
ステップＳ８３４において、最小値Ｗ２ｓが第５冷房閾値（例えば、−３．０℃）よりも大きいと判断された場合（ステップＳ８３４で、「Ｎ」）、空調風量調節ステップＳ８４１及びＳ８４２ほど、空気調和機１６の設定風量を大きくする必要はないが、空調風量調節ステップＳ８４３よりも、空気調和機１６の設定風量を大きくするのが有効である。このため、空気調和機１６の設定風量が、「中」に設定される（空調風量調節ステップＳ８４４）。
【０１７８】
このように、空調風量調節ステップＳ８４１〜Ｓ８４４では、最大値Ｗ２ｍが大きいほど、空気調和機１６の設定風量が大きくされ、かつ、最小値Ｗ２ｓが小さいほど、空気調和機１６の設定風量が小さくうる。従って、各居室４Ａ、４Ｂ又は４Ｃが効果的に冷房されうる。
【０１７９】
次に、本実施形態の積極運転ステップＳ８２２では、換気手段１０のファン１０Ｂの風量が調節される（ファン風量調節ステップＳ８４５〜Ｓ８４８）。
【０１８０】
ステップＳ８３１において、最小値Ｗ２ｓが第１冷房閾値（例えば、＋１．５℃）以上であると判断された場合（ステップＳ８３１で、「Ｙ」）、空調風量調節ステップＳ８４１と同様の観点より、ファン１０Ｂの風量が、第４風量（例えば、１０００m3／ｈ）に設定される（ファン風量調節ステップＳ８４５）。また、ステップＳ８３３において、最大値Ｗ２ｍが第４冷房閾値（例えば、＋３．０℃）以上であると判断された場合（ステップＳ８３３で、「Ｙ」）、空調風量調節ステップＳ８４２と同様の観点より、ファン１０Ｂの風量が、第４風量（例えば、１０００m3／ｈ）に設定される（ファン風量調節ステップＳ８４６）。
【０１８１】
ステップＳ８３４において、最小値Ｗ２ｓが第５冷房閾値（例えば、−３．０℃）以下であると判断された場合（ステップＳ８３４で、「Ｙ」）、空調風量調節ステップＳ８４３と同様の観点より、ファン１０Ｂの風量が、第２風量（例えば、６００m3／ｈ）に設定される（ファン風量調節ステップＳ８４７）。また、ステップＳ８３４において、最小値Ｗ２ｓが第５冷房閾値（例えば、−３．０℃）よりも大きいと判断された場合（ステップＳ８３４で、「Ｎ」）、空調風量調節ステップＳ８４４と同様の観点より、ファン１０Ｂの風量が、第３風量（例えば、８００m3／ｈ）に設定される（ファン風量調節ステップＳ８４８）。
【０１８２】
このように、ファン風量調節ステップＳ８４５〜Ｓ８４８も、最大値Ｗ２ｍが大きいほど、ファン１０Ｂの風量が大きくされ、かつ、最小値Ｗ２ｓが小さいほど、ファン１０Ｂの風量が小さくされうる。従って、各居室４Ａ、４Ｂ又は４Ｃが効果的に冷房されうる。このファン風量調節ステップＳ８４５〜Ｓ８４８の処理終了後、積極運転ステップＳ８２２及び冷房ステップＳ３３５（図１８に示す）の一連の処理が終了する。
【０１８３】
図２２は、本実施形態の効率運転ステップＳ８２３の処理手順の一例を示すフローチャートである。上述したように、効率運転ステップＳ８２３は、空気調和機１６の効率的な運転が行われる。効率運転ステップＳ８２３では、先ず、現在の空気調和機１６の冷房能力が計算される（ステップＳ８８１）。本実施形態の冷房モードＳ３３において、空気調和機１６の冷房能力Ｅｃは、下記式（２）で求められる。
Ｅｃ＝（Ｔａ−Ｔｂ）×Ａｆ×Ｈｓ／１０００  …（２）
ここで、各定数及び変数については、次のとおりである。
Ｔａ：空気調和機の吸気部の温度（℃）
Ｔｂ：空気調和機の排気部の温度（℃）
Ａｆ：空気調和機の風量（m3／ｈ）
Ｈｓ：空気比熱（０．３５Wh／m3・℃）
【０１８４】
図１３（ｂ）は、冷房能力とＣＯＰ（Coefficient of Performance ）との関係を示すグラフである。図１３（ｂ）のグラフでは、ＣＯＰ、消費電力（ｋＷ）、顕熱負荷（ｋＷ）、及び、潜熱負荷（ｋＷ）が示されている。一般に、冷房能力Ｅｃが、２ｋＷ以上である場合、冷房効率が悪い状態である。このような場合、冷房能力Ｅｃが２ｋＷに近づくように、例えば、設定温度を大きくする、又は、設定風量を小さくして、空気調和機１６が運転されるのが望ましい。
【０１８５】
次に、図２２に示されるように、効率運転ステップＳ８２３では、現在の空気調和機１６の冷房効率が悪いか否かが判断される（ステップＳ８８２）。本実施形態では、現在の冷房能力Ｅｃが２ｋＷ以上である場合に、冷房効率が悪いと判断される。このように、冷房効率が悪い場合、空気調和機１６の効率的な運転が行われる。
【０１８６】
現在の空気調和機１６の冷房効率が悪いと判断された場合（ステップＳ８８２で、「Ｙ」）、空気調和機１６の効率的な運転を行わせるに先立ち、次のステップＳ８８３が実施される。他方、現在の空気調和機１６の冷房効率が悪くないと判断された場合（ステップＳ８８２で、「Ｎ」）、既に、空気調和機１６の効率的な運転が行われている。このため、現在の空気調和機１６の運転状態（設定温度、及び、設定風量）、及びファン１０Ｂの風量が維持されたまま、効率運転ステップＳ８２３及び冷房ステップＳ３３５（図８に示す）の一連の処理が終了する。
【０１８７】
次に、効率運転ステップＳ８２３では、空気調和機１６の設定温度が、目標温度（例えば、２０℃）未満であるか否かが判断される（ステップＳ８８３）。空気調和機１６の設定温度が、目標温度未満である場合（ステップＳ８８３で、「Ｙ」）、設定温度をやや大きくしても、各居室４Ａ、４Ｂ又は４Ｃを目標温度に冷房することができる。このような場合、ダンパー２０ａ〜２０ｃの開度が維持されたまま（ステップＳ８８４）、空気調和機１６の設定温度が大に設定される（ステップＳ８８５）。なお、空気調和機１６の設定温度の増加分は、適宜設定される。本実施形態の増加分は、例えば、＋１℃に設定される。
【０１８８】
さらに、空気調和機１６の設定風量が「中」に設定され（ステップＳ８８６）、ファン１０Ｂの風量が第３風量（例えば、８００m3／ｈ）に設定される（ステップＳ８８７）。これにより、効率運転ステップＳ８２３では、各居室４Ａ、４Ｂ又は４Ｃが効率良く冷房されうる。
【０１８９】
空気調和機１６の設定温度が、目標温度以上である場合（ステップＳ８８３で、「Ｎ」）である場合、設定温度をこれ以上大きくすると、各居室４Ａ、４Ｂ又は４Ｃを目標温度に維持できなくなるおそれがある。このため、ダンパー２０ａ〜２０ｃの開度が維持されるとともに（ステップＳ８８８）、空気調和機１６の設定温度が維持される（ステップＳ８８９）。
【０１９０】
さらに、空気調和機１６の設定風量が「弱」に設定され（ステップＳ８９０）、ファン１０Ｂの風量が第２風量（例えば、６００m3／ｈ）に設定される（ステップＳ８９１）。これにより、効率運転ステップＳ８２３では、空気調和機１６の冷房効率の悪化を防ぎつつ、各居室４Ａ、４Ｂ又は４Ｃが効率良く冷房されうる。
【０１９１】
次に、効率運転ステップＳ８２３では、ステップＳ８８４〜ステップＳ８９１で設定された空気調和機１６の設定温度、設定風量、及び、ファン１０Ｂの風量が維持された状態で、空気調和機１６及びファン１０Ｂの運転が残置される（ステップＳ８９２）。これにより、空気調和機１６の冷房効率の悪化を防ぎつつ、各居室４Ａ、４Ｂ又は４Ｃが効率良く冷房されうる。なお、残置される時間については、適宜設定されうる。本実施形態では、効率運転ステップＳ８２３で設定された空気調和機１６の設定温度、設定風量、及び、ファン１０Ｂの風量により、各居室４Ａ、４Ｂ又は４Ｃが効率良く冷房させることを考慮して、例えば、５分程度に設定されるのが望ましい。このステップＳ８９２の処理終了後、効率運転ステップＳ６２３及び冷房ステップＳ３３５（図１８に示す）の一連の処理が終了する。
【０１９２】
次に、図１７に示されるように、冷房モードＳ３３では、冷房モードＳ３３が開始されてから予め定められた終了時間が経過したか否かが判断される（ステップＳ３３６）。終了時間については、適宜設定されうる。本実施形態では、冷房モードＳ３３で設定された空気調和機１６の設定温度、設定風量、及び、ファン１０Ｂの風量により、各居室４Ａ、４Ｂ又は４Ｃが効果的に冷房させることを考慮して、例えば、例えば、３０分程度に設定されるのが望ましい。
【０１９３】
終了時間が経過したと判断された場合（ステップＳ３３６で、「Ｙ」）、冷房モードＳ３３の一連の処理が終了する。他方、終了時間が経過していないと判断された場合（ステップＳ３３６で、「Ｎ」）、ステップＳ３３０〜ステップＳ３３６が再度実施される。これにより、冷房モードＳ３３では、時々刻々と変化する各居室４Ａ、４Ｂ又は４Ｃの温度に基づいて、ダンパー２０の開度、空気調和機１６の設定温度、設定風量、及び、ファン１０Ｂの風量が調節されるため、各居室４Ａ、４Ｂ又は４Ｃが効果的に冷房されうる。なお、本実施形態の差Ｖ２は、各居室４Ａ、４Ｂ及び４Ｃの温度から目標温度を差し引いた値Ｗ２として求められる態様が例示されたが、これに限定されない。例えば、目標温度から各居室４Ａ、４Ｂ及び４Ｃの温度を差し引いた値として求められてもよい。
【０１９４】
パッシブ冷房モードＳ３４では、床下空気１７が各居室４Ａ、４Ｂ及び４Ｃに供給されることにより、居室４Ａ、４Ｂ及び４Ｃが換気されながら空調される。図２３は、パッシブ冷房モードＳ３４の処理手順の一例を示すフローチャートである。パッシブ冷房モードＳ３４の一連の処理は、制御手段２６によって行われる。
【０１９５】
パッシブ冷房モードＳ３４では、先ず、図１及び図３に示されるように、各居室４Ａ、４Ｂ及び４Ｃの温度が検知される（ステップＳ３４１）。次に、パッシブ冷房モードＳ３４では、外気の温度が検知される（ステップＳ３４２）。次に、パッシブ冷房モードＳ３４では、床下空気１７の温度が検知される（ステップＳ３４３）。各居室４Ａ、４Ｂ及び４Ｃの温度、外気の温度、並びに、床下空気１７の温度は、制御手段２６に伝達される。
【０１９６】
次に、パッシブ冷房モードＳ３４では、各居室４Ａ、４Ｂ及び４Ｃの温度が、空気調和機１６による冷房運転が必要とされる温度よりも低いか否かが判断される（ステップＳ３４４）。なお、「空気調和機１６による冷房運転が必要とされる温度」については、例えば、建築物Ｂの構造や、床下空気１７による冷房能力（温度）等に応じて、適宜設定されうる。本実施形態では、例えば、３１℃程度に設定されている。
【０１９７】
各居室４Ａ、４Ｂ及び４Ｃの温度が、空気調和機１６による冷房運転が必要とされる温度（例えば、３１℃）よりも低い場合（ステップＳ３４４で、「Ｙ」）、床下空気１７を利用して冷房（空調）可能と判断されうる。このような場合、次のステップＳ３４５が実施される。他方、各居室４Ａ、４Ｂ及び４Ｃの温度が、空気調和機１６による冷房運転が必要とされる温度（例えば、３１℃）以上である場合（ステップＳ３４４で、「Ｎ」）、床下空気１７を利用しても、各居室４Ａ、４Ｂ及び４Ｃを効果的に冷房できないと判断されうる。このような場合、パッシブ冷房モードＳ３４が中断され、前記冷房モードＳ３３（図１６及び図１７に示す）が実施される。
【０１９８】
次に、パッシブ冷房モードＳ３４では、外気の温度が、予め定められた温度未満であるか否かが判断される（ステップＳ３４５）。外気の「予め定められた温度」については、例えば、建築物Ｂの構造や、床下空気１７による冷房能力（温度）等に応じて、適宜設定されうる。本実施形態では、例えば、３０℃に設定されている。
【０１９９】
外気の温度が、予め定められた温度（例えば、３０℃）未満である場合（ステップＳ３４５で、「Ｙ」）、外気による居室４Ａ、４Ｂ及び４Ｃの温度上昇の影響が小さいため、床下空気１７を利用して、各居室４Ａ、４Ｂ及び４Ｃを冷房（空調）できると判断されうる。このような場合、次のステップＳ３４６が実施される。他方、外気の温度が、予め定められた温度（例えば、３０℃）以上である場合（ステップＳ３４５で、「Ｎ」）、床下空気１７を利用しても、各居室４Ａ、４Ｂ及び４Ｃを効果的に冷房できないと判断されうる。このような場合、パッシブ冷房モードＳ３４が中断され、前記冷房モードＳ３３（図１６及び図１７に示す）が実施される。
【０２００】
次に、パッシブ冷房モードＳ３４では、床下空気１７の温度が、予め定められた温度未満であるか否かが判断される（ステップＳ３４６）。床下空気１７の「予め定められた温度」については、例えば、建築物Ｂの構造等に応じて、適宜設定されうる。本実施形態では、例えば、２２℃に設定されている。
【０２０１】
床下空気１７の温度が、予め定められた温度（例えば、２２℃）未満である場合（ステップＳ３４６で、「Ｙ」）、比較的温度が低い床下空気１７を利用して、各居室４Ａ、４Ｂ及び４Ｃを冷房（空調）できると判断されうる。このような場合、次の第２供給ステップＳ３４７が実施される。他方、床下空気１７の温度が、予め定められた温度（例えば、２２℃）以上である場合（ステップＳ３４６で、「Ｎ」）、床下空気１７を利用しても、各居室４Ａ、４Ｂ及び４Ｃを効果的に冷房できないと判断されうる。このような場合、パッシブ冷房モードＳ３４が中断され、前記冷房モードＳ３３（図１６及び図１７に示す）が実施される。
【０２０２】
次に、パッシブ冷房モードＳ３４では、床下空気１７が、各居室４Ａ、４Ｂ及び４Ｃに供給される（第２供給ステップＳ３４７）。第２供給ステップＳ３４７は、ステップＳ３４４〜ステップＳ３４６の判断により、各居室４Ａ、４Ｂ及び４Ｃの温度が、空気調和機１６による冷房運転が必要とされる温度よりも低く、かつ、外気の温度が、予め定められた温度未満であり、しかも、床下空気１７の温度が、予め定められた温度未満であると判断された場合にのみ実施される。従って、第２供給ステップＳ３４７では、各居室４Ａ、４Ｂ及び４Ｃの温度、外気の温度、及び、床下空気１７の温度が比較的低いため、空気調和機１６を使用しなくても、床下空気１７を利用して、各居室４Ａ、４Ｂ及び４Ｃが効果的に冷房（空調）されうる。従って、空調コストの増大を防ぐことができる。図２４は、第２供給ステップＳ３４７の処理手順の一例を示すフローチャートである。
【０２０３】
図１及び図２４に示されるように、本実施形態の第２供給ステップＳ３４７では、先ず、換気手段１０のファン１０Ｂの風量（床下空気１７の総供給量）が設定される（ステップＳ９１１）。本実施形態のファン１０Ｂの風量は、例えば、冬季と比べて自然換気量が少ないため、第４風量（例えば、１０００m3／ｈ）が設定されている。なお、ステップＳ９１１では、図１及び図２に示されるように、チャンバーボックス９の開閉部９Ｃによって、第１空間９Ａと第２空間９Ｂとが遮断される。これにより、チャンバーボックス９の第１空間９Ａの空気は、排気口１４からダクト１０Ａ、空気浄化装置１０Ｃを経由して清浄化された後、ダンパー２０（２０ａ〜２０ｃ）を介して、各居室４Ａ、４Ｂ及び４Ｃ等の床上空間４に供給される。
【０２０４】
次に、第２供給ステップＳ３４７では、各居室４Ａ、４Ｂ及び４Ｃの温度と予め定められた目標温度との差Ｖｂが求められる（ステップＳ９１２）。目標温度は、適宜設定されうる。本実施形態の目標温度は、屋内熱中症を未然に防ぐ観点より、例えば、２８℃に設定されるのが望ましい。また、目標温度は、居室４Ａ、４Ｂ及び４Ｃ毎に設定されてもよい。目標温度は、記憶部３４に予め記憶されている。
【０２０５】
差Ｖｂは、居室４Ａ、４Ｂ及び４Ｃ毎に求められる。本実施形態の差Ｖｂは、パッシブ暖房モードＳ２４と同様に、各居室４Ａ、４Ｂ及び４Ｃの温度から目標温度を差し引いた値として求められる。この値（差Ｖｂ）が小さいほど、各居室４Ａ、４Ｂ及び４Ｃの温度が小さいことを示している。
【０２０６】
次に、第２供給ステップＳ３４７では、各居室４Ａ、４Ｂ及び４Ｃの前記差Ｖｂに基づいて、各居室４Ａ、４Ｂ及び４Ｃのダンパー２０（２０ａ〜２０ｃ）の開度が調節される（ステップＳ９１３〜ステップＳ９１９）。本実施形態では、前記差Ｖｂが大きいほど、ダンパー２０の開度（床下空気１７の供給量）が大に設定されている。これにより、温度が高い居室４Ａ、４Ｂ及び４Ｃほど、より多くの冷たい床下空気１７が供給されるため、各居室４Ａ、４Ｂ及び４Ｃが効率良く冷房されうる。
【０２０７】
例えば、前記差Ｖｂが−１．５℃未満である居室４Ａ、４Ｂ又は４Ｃのダンパーは、最も小さい第１開度に設定される（ステップＳ９１４）。前記差Ｖｂが−１．５℃〜−０．５℃である居室４Ａ、４Ｂ又は４Ｃのダンパー２０は、第１開度よりも大きい第２開度に設定される（ステップＳ９１５）。前記差Ｖｂが−０．５℃〜＋０．５℃である居室４Ａ、４Ｂ又は４Ｃのダンパー２０は、第２開度よりも大きい第３開度に設定される（ステップＳ９１６）。
【０２０８】
さらに、前記差Ｖｂが＋０．５℃〜＋１．５℃である居室４Ａ、４Ｂ又は４Ｃのダンパー２０（２０ａ〜２０ｃ）は、第３開度よりも大きい第４開度に設定される（ステップＳ９１７）。前記差Ｖｂが＋１．５℃よりも大きい居室４Ａ、４Ｂ又は４Ｃのダンパー２０は、第４開度よりも大きい第５開度に設定される（ステップＳ９１８）。
【０２０９】
そして、全ての居室４Ａ、４Ｂ及び４Ｃのダンパー２０（２０ａ〜２０ｃ）の開度が調節されたか否かが判断される（ステップＳ９１９）。全ての居室４Ａ、４Ｂ及び４Ｃのダンパー２０の開度が調節されたと判断された場合、次のステップＳ３４８（図２３に示す）が実施される。他方、全ての居室４Ａ、４Ｂ及び４Ｃのダンパー２０の開度が調節されていないと判断された場合、他の居室４Ａ、４Ｂ及び４Ｃのダンパー２０が選択され（ステップＳ９２０）、ステップＳ９１３〜ステップＳ９１９が再度実施される。これにより、前記差Ｖｂに基づいて、全ての居室４Ａ、４Ｂ及び４Ｃのダンパー２０の開度が調節されうる。従って、各居室４Ａ、４Ｂ及び４Ｃへの床下空気１７の供給量が、個別に調節されうる。
【０２１０】
なお、前記差Ｖｂの閾値（本実施形態では、「＋１．５℃」、「＋０．５℃」、「−０．５℃」、「−１．５℃」）については、例えば、換気手段１０のファン１０Ｂの風量に応じて、適宜変更することができる。また、本実施形態の前記差Ｖａは、例えば、目標温度から各居室４Ａ、４Ｂ及び４Ｃの温度を差し引いた値として求められてもよい。
【０２１１】
次に、パッシブ冷房モードＳ３４では、第２供給ステップＳ３４７の開始から予め定められた時間が経過するまで、各居室４Ａ、４Ｂ及び４Ｃへの床下空気１７の供給が残置される（ステップＳ３４８）。このような残置により、第２供給ステップＳ３４７で設定された各居室４Ａ、４Ｂ及び４Ｃのダンパー２０（２０ａ〜２０ｃ）の開度に基づいて、床下空気１７が一定時間供給されるため、各居室４Ａ、４Ｂ及び４Ｃが効果的に冷房されうる。残置される時間については、適宜設定されうる。本実施形態では、例えば、２０分〜３０分程度に設定されている。
【０２１２】
次に、パッシブ冷房モードＳ３４では、各居室４Ａ、４Ｂ及び４Ｃの温度が、予め定められた温度未満であるか否かが判断される（ステップＳ３４９）。各居室４Ａ、４Ｂ及び４Ｃの「予め定められた温度」については、適宜設定されうる。本実施形態の温度は、第２供給ステップＳ３４７で設定された目標温度（２８℃）に基づいて、例えば２８℃に設定されている。
【０２１３】
各居室４Ａ、４Ｂ及び４Ｃの温度（２８℃）が前記温度未満である場合（ステップＳ３４９で、「Ｙ」）、床下空気１７を利用して、効果的に冷房されていると判断されうる。このような場合、次のステップＳ３５０が実施される。他方、各居室４Ａ、４Ｂ及び４Ｃの温度が前記温度以上（即ち、少なくとも一つの居室４Ａ、４Ｂ及び４Ｃの温度が前記温度以上）である場合（ステップＳ３４９で、「Ｎ」）、床下空気１７を利用しても、各居室４Ａ、４Ｂ及び４Ｃを効果的に冷房できないと判断されうる。この場合、パッシブ冷房モードＳ３４が中断され、前記冷房モードＳ３３（図１６及び図１７に示す）が実施される。このように、本実施形態では、各居室４Ａ、４Ｂ及び４Ｃに床下空気１７が一定時間供給されても、各居室４Ａ、４Ｂ及び４Ｃが十分に冷房されないと判断された場合に、パッシブ冷房モードＳ３４が中断され、冷房モードＳ３３が迅速に実施される。従って、各居室４Ａ、４Ｂ及び４Ｃが確実に冷房されうる。
【０２１４】
次に、パッシブ冷房モードＳ３４では、ステップＳ３４１〜ステップＳ３４９を経た現在において、第２期間（夏季パッシブ期間）か否かが判断される（ステップＳ３５０）。現在が第２期間であると判断された場合（ステップＳ３５０で、「Ｙ」）、ステップＳ３４５〜Ｓ３５０が再度実施される。これにより、第２期間（夏季パッシブ期間）では、空気調和機１６を使用しなくても、自然エネルギーのみを利用して、各居室４Ａ、４Ｂ及び４Ｃが効果的に冷房（空調）されうるため、空調コストの増大が防がれうる。他方、現在が第２期間（夏季パッシブ期間）外であると判断された場合（ステップＳ３５０で、「Ｎ」）、パッシブ冷房モードＳ３４の一連の処理が終了する。
【０２１５】
上述した換気モードＳ３２、冷房モードＳ３３、及び、パッシブ冷房モードＳ３４の一連の処理が終了することにより、次のステップＳ４（図４に示す）が実施される。これにより、夏季空調ステップＳ３では、現在が属する期間に応じて、各居室４Ａ、４Ｂ及び４Ｃが、効率よく冷房（空調）されうる。
【０２１６】
次に、本実施形態の空調方法では、図４に示されるように、冬季空調ステップＳ２又は夏季空調ステップＳ３が実施された後に、空調方法の終了命令の有無が判断される（ステップＳ４）。終了命令は、例えば、制御手段２６を介して、居住者等によって行われる。ステップＳ４では、終了命令が有る場合、本実施形態の一連の処理が終了する。他方、終了命令が無い場合は、ステップＳ１〜ステップＳ４が再度実施される。
【０２１７】
このように、本実施形態の空調方法では、暖房モードＳ２４及び冷房モードＳ３３が含まれるため、空気調和機１６を利用して、各居室４Ａ、４Ｂ及び４Ｃが、一年を通して快適に空調されうる。さらに、暖房モードＳ２４及び冷房モードＳ３３では、各居室４Ａ、４Ｂ及び４Ｃの温度と目標温度との温度差に基づいて、暖空気又は冷空気の供給量が個別に調節されうるため、各居室４Ａ、４Ｂ及び４Ｃが効率よく冷暖房されうる。また、本実施形態の空調方法では、パッシブ暖房モードＳ２４と、パッシブ冷房モードＳ３４とが含まれるため、床下空気を利用して、各居室４Ａ、４Ｂ及び４Ｃが効率よく冷暖房されうる。
【０２１８】
また、上述したように、パッシブ暖房モードＳ２４での床下空気１７の総供給量（本実施形態では、第２風量）は、パッシブ冷房モードＳ３４での床下空気１７の総供給量（本実施形態では、第４風量）よりも小さい。これは、夏季の自然換気量に比べて大きくなる冬季の自然換気量を考慮したものである。これにより、冬季において、各居室４Ａ、４Ｂ及び４Ｃが、過乾燥になるのを抑制しうる。
【０２１９】
なお、本実施形態では、床下空間３に１台の空気調和機１６のみが設けられる態様が例示されたが、これに限定されるわけではない。例えば、床下空間３に、２台以上の空気調和機１６が設けられてもよい。また、床下空間３に設けられた空気調和機１６とともに、各居室４Ａ、４Ｂ及び４Ｃに、空気調和機（図示省略）が別途設けられてもよい。
【０２２０】
以上、本発明の特に好ましい実施形態について詳述したが、本発明は図示の実施形態に限定されることなく、種々の態様に変形して実施しうる。
【符号の説明】
【０２２１】
４Ａ、４Ｂ、４Ｃ      居室
１６      空気調和機
【図１】
0006371674.tif 000002
【図２】
0006371674.tif 000003
【図３】
0006371674.tif 000004
【図４】
0006371674.tif 000005
【図５】
0006371674.tif 000006
【図６】
0006371674.tif 000007
【図７】
0006371674.tif 000008
【図８】
0006371674.tif 000009
【図９】
0006371674.tif 000010
【図１０】
0006371674.tif 000011
【図１１】
0006371674.tif 000012
【図１２】
0006371674.tif 000013
【図１３】
0006371674.tif 000014
【図１４】
0006371674.tif 000015
【図１５】
0006371674.tif 000016
【図１６】
0006371674.tif 000017
【図１７】
0006371674.tif 000018
【図１８】
0006371674.tif 000019
【図１９】
0006371674.tif 000020
【図２０】
0006371674.tif 000021
【図２１】
0006371674.tif 000022
【図２２】
0006371674.tif 000023
【図２３】
0006371674.tif 000024
【図２４】
0006371674.tif 000025